(57)【要約】  本発明は、チャネル状態情報ＣＳＩ報告方法及び装置、ならびに基地局アンテナを開示する。方法において、少なくとも１つのプリコーディングマトリックスは、基地局によって送信された基準信号に基づいて、コードブックから選択され、ＣＳＩは、基地局に送信される。ＣＳＩは、少なくとも１つの選択されたプリコーディングマトリックスインジケータＰＭＩを含み、ＰＭＩは、選択された少なくとも１つのプリコーディングマトリックスに対応する。コードブックに含まれる少なくとも１つのプリコーディングマトリックスＷは、【数３７０】2017522772.tif 000372  として表されてよく、【数３７１】2017522772.tif 000373  はクロネッカー積であり、【数３７２】2017522772.tif 000374  の少なくとも１つは、アンテナ選択マトリックスである。従って、本発明の複数の実施形態において、基地局は、フィードバックされた少なくとも１つのプリコーディングマトリックスに従って、信号を送信する１つ又は複数のアンテナポートを選択してよい。各アンテナポートは、１つのアンテナ要素位相重み付けベクトルに対応する。異なるアンテナ要素位相重み付けベクトルは、異なるアンテナポートを選択することによって選択され、これにより、アンテナビームは変化し、アンテナビームカバレッジステータスを効果的に向上させることができる。
2017522772.tif 000002
【特許請求の範囲】
【請求項１】
チャネル状態情報ＣＳＩ報告装置であって、
基地局によって送信された基準信号を受信するように構成される基準信号受信ユニットと、
前記基準信号受信ユニットによって受信された前記基準信号に基づいて、コードブックから少なくとも１つのプリコーディングマトリックスを選択するように構成されるプリコーディングマトリックス選択ユニットであって、前記コードブックは、プリコーディングマトリックスＷを含み、Ｗは、
【数２５３】
2017522772.tif 000255
を満たし、
【数２５４】
2017522772.tif 000256
は、クロネッカー積であり、
【数２５５】
2017522772.tif 000257
の少なくとも１つは、アンテナ選択マトリックスである、プリコーディングマトリックス選択ユニットと、
ＣＳＩを前記基地局に送信するように構成されるＣＳＩ送信ユニットであって、前記ＣＳＩは、前記プリコーディングマトリックス選択ユニットによって選択された少なくとも１つのプリコーディングマトリックスインジケータＰＭＩを含み、前記ＰＭＩは、前記選択された少なくとも１つのプリコーディングマトリックスに対応する、ＣＳＩ送信ユニットと、
を備える装置。
【請求項２】
各基準信号は、１つのアンテナポートに対応する、請求項１に記載の装置。
【請求項３】
前記アンテナ選択マトリックスにおいて、各列は、少なくとも１つのゼロ要素を有する、請求項１に記載の装置。
【請求項４】
【数２５６】
2017522772.tif 000258
は、水平次元マトリックスベクトル及び鉛直次元マトリックスベクトルにそれぞれ対応する、請求項１に記載の装置。
【請求項５】
【数２５７】
2017522772.tif 000259
の少なくとも１つは、
【数２５８】
2017522772.tif 000260
のマトリックスの少なくとも１つであり、
【数２５９】
2017522772.tif 000261
は定数である、又は、
【数２６０】
2017522772.tif 000262
の少なくとも１つは、
【数２６１】
2017522772.tif 000263
のマトリックスの少なくとも１つであり、
【数２６２】
2017522772.tif 000264
は定数である、又は、
【数２６３】
2017522772.tif 000265
の少なくとも１つは、
【数２６４】
2017522772.tif 000266
のマトリックスの少なくとも１つであり、
【数２６５】
2017522772.tif 000267
は定数であり、
【数２６６】
2017522772.tif 000268
である、又は、
【数２６７】
2017522772.tif 000269
の少なくとも１つは、
【数２６８】
2017522772.tif 000270
のマトリックスの少なくとも１つであり、
【数２６９】
2017522772.tif 000271
は定数であり、
【数２７０】
2017522772.tif 000272
である、又は、
【数２７１】
2017522772.tif 000273
の少なくとも１つは、
【数２７２】
2017522772.tif 000274
のマトリックスの少なくとも１つ、又は、前記マトリックスの非ゼロ要素の数が２、３、４、５、６、もしくは７をとり得るマトリックスであり、
【数２７３】
2017522772.tif 000275
は定数である、
請求項１から４のいずれか１項に記載の装置。
【請求項６】
【数２７４】
2017522772.tif 000276
の少なくとも１つは、
【数２７５】
2017522772.tif 000277
のマトリックスの少なくとも１つであり、
【数２７６】
2017522772.tif 000278
は定数である、又は、
【数２７７】
2017522772.tif 000279
の少なくとも１つは、
【数２７８】
2017522772.tif 000280
のマトリックスの少なくとも１つであり、
【数２７９】
2017522772.tif 000281
は定数であり、
【数２８０】
2017522772.tif 000282
である、又は、
【数２８１】
2017522772.tif 000283
の少なくとも１つは、
【数２８２】
2017522772.tif 000284
のマトリックスの少なくとも１つであり、
【数２８３】
2017522772.tif 000285
は定数である、又は、
【数２８４】
2017522772.tif 000286
の少なくとも１つは、
【数２８５】
2017522772.tif 000287
のマトリックスの少なくとも１つであり、
【数２８６】
2017522772.tif 000288
は定数であり、
【数２８７】
2017522772.tif 000289
である、又は、
【数２８８】
2017522772.tif 000290
の少なくとも１つは、
【数２８９】
2017522772.tif 000291
のマトリックスの少なくとも１つであり、
【数２９０】
2017522772.tif 000292
は定数である、
請求項２から５のいずれか１項に記載の装置。
【請求項７】
【数２９１】
2017522772.tif 000293
における前記アンテナ選択マトリックスは、信号送信のためのアンテナポートを選択するために用いられる、請求項１から６のいずれか１項に記載の装置。
【請求項８】
前記アンテナポートは、少なくとも２つのアンテナ要素を含み、少なくとも２つのアンテナポートに対応するアンテナ要素重み付けベクトルは、異なる、請求項２から７のいずれか１項に記載の装置。
【請求項９】
少なくとも２つのアンテナポートは、同じグループのアンテナ要素に対応し、前記同じグループのアンテナ要素において対応する重み付けベクトルは、異なる、請求項２から８のいずれか１項に記載の装置。
【請求項１０】
プロセッサと、メモリと、通信バスとを備え、前記プロセッサ及び前記メモリの両方が前記通信バスに接続されるチャネル状態情報ＣＳＩ報告装置であって、
前記メモリは、前記プロセッサに接続され、前記プロセッサによって実行されるプログラムコードを格納し、
前記プロセッサは、前記メモリに接続され、基地局によって送信された基準信号を受信し、前記基準信号に基づいて、コードブックから少なくとも１つのプリコーディングマトリックスを選択し、ＣＳＩを前記基地局に送信するように構成され、前記コードブックは、プリコーディングマトリックスＷを含み、Ｗは、
【数２９２】
2017522772.tif 000294
を満たし、
【数２９３】
2017522772.tif 000295
は、クロネッカー積であり、
【数２９４】
2017522772.tif 000296
の少なくとも１つは、アンテナ選択マトリックスであり、前記ＣＳＩは、少なくとも１つの選択されたプリコーディングマトリックスインジケータＰＭＩを含み、前記ＰＭＩは、前記選択された少なくとも１つのプリコーディングマトリックスに対応する、装置。
【請求項１１】
各基準信号は、１つのアンテナポートに対応する、請求項１０に記載の装置。
【請求項１２】
前記アンテナ選択マトリックスにおいて、各列は、少なくとも１つのゼロ要素を有する、請求項１０に記載の装置。
【請求項１３】
【数２９５】
2017522772.tif 000297
は、水平次元マトリックスベクトル及び鉛直次元マトリックスベクトルにそれぞれ対応する、請求項１０に記載の装置。
【請求項１４】
【数２９６】
2017522772.tif 000298
の少なくとも１つは、
【数２９７】
2017522772.tif 000299
のマトリックスの少なくとも１つであり、
【数２９８】
2017522772.tif 000300
は定数である、又は、
【数２９９】
2017522772.tif 000301
の少なくとも１つは、
【数３００】
2017522772.tif 000302
のマトリックスの少なくとも１つであり、
【数３０１】
2017522772.tif 000303
は定数である、又は、
【数３０２】
2017522772.tif 000304
の少なくとも１つは、
【数３０３】
2017522772.tif 000305
のマトリックスの少なくとも１つであり、
【数３０４】
2017522772.tif 000306
は定数であり、
【数３０５】
2017522772.tif 000307
である、又は、
【数３０６】
2017522772.tif 000308
の少なくとも１つは、
【数３０７】
2017522772.tif 000309
のマトリックスの少なくとも１つであり、
【数３０８】
2017522772.tif 000310
は定数であり、
【数３０９】
2017522772.tif 000311
である、又は、
【数３１０】
2017522772.tif 000312
の少なくとも１つは、
【数３１１】
2017522772.tif 000313
のマトリックスの少なくとも１つ、又は、前記マトリックスの非ゼロ要素の数が２、３、４、５、６、もしくは７をとり得るマトリックスであり、
【数３１２】
2017522772.tif 000314
は定数である、
請求項１０から１３のいずれか１項に記載の装置。
【請求項１５】
【数３１３】
2017522772.tif 000315
の少なくとも１つは、
【数３１４】
2017522772.tif 000316
のマトリックスの少なくとも１つであり、
【数３１５】
2017522772.tif 000317
は定数である、又は、
【数３１６】
2017522772.tif 000318
の少なくとも１つは、
【数３１７】
2017522772.tif 000319
のマトリックスの少なくとも１つであり、
【数３１８】
2017522772.tif 000320
は定数であり、
【数３１９】
2017522772.tif 000321
である、又は、
【数３２０】
2017522772.tif 000322
の少なくとも１つは、
【数３２１】
2017522772.tif 000323
のマトリックスの少なくとも１つであり、
【数３２２】
2017522772.tif 000324
は定数である、又は、
【数３２３】
2017522772.tif 000325
の少なくとも１つは、
【数３２４】
2017522772.tif 000326
のマトリックスの少なくとも１つであり、
【数３２５】
2017522772.tif 000327
は定数であり、
【数３２６】
2017522772.tif 000328
である、又は、
【数３２７】
2017522772.tif 000329
の少なくとも１つは、
【数３２８】
2017522772.tif 000330
のマトリックスの少なくとも１つであり、
【数３２９】
2017522772.tif 000331
は定数である、
請求項１０から１４のいずれか１項に記載の装置。
【請求項１６】
【数３３０】
2017522772.tif 000332
における前記アンテナ選択マトリックスは、信号送信のためのアンテナポートを選択するために用いられる、請求項１０から１５のいずれか１項に記載の装置。
【請求項１７】
前記アンテナポートは、少なくとも２つのアンテナ要素を含み、少なくとも２つのアンテナポートに対応するアンテナ要素重み付けベクトルは、異なる、請求項１１から１６のいずれか１項に記載の装置。
【請求項１８】
少なくとも２つのアンテナポートは、同じグループのアンテナ要素に対応し、前記同じグループのアンテナ要素において対応する重み付けベクトルは、異なる、請求項１１から１７のいずれか１項に記載の装置。
【請求項１９】
チャネル状態情報ＣＳＩ報告方法であって、
基地局によって送信された基準信号を受信する段階と、
前記基準信号に基づいて、コードブックから少なくとも１つのプリコーディングマトリックスを選択する段階であって、前記コードブックは、プリコーディングマトリックスＷを含み、Ｗは、
【数３３１】
2017522772.tif 000333
を満たし、
【数３３２】
2017522772.tif 000334
は、クロネッカー積であり、
【数３３３】
2017522772.tif 000335
の少なくとも１つは、アンテナ選択マトリックスである、段階と、
ＣＳＩを前記基地局に送信する段階であって、前記ＣＳＩは、少なくとも１つの選択されたプリコーディングマトリックスインジケータＰＭＩを含み、前記ＰＭＩは、前記選択された少なくとも１つのプリコーディングマトリックスに対応する、段階と、
を備える方法。
【請求項２０】
各基準信号は、１つのアンテナポートに対応する、請求項１９に記載の方法。
【請求項２１】
前記アンテナ選択マトリックスにおいて、各列は、少なくとも１つのゼロ要素を有する、請求項１９に記載の方法。
【請求項２２】
【数３３４】
2017522772.tif 000336
は、水平次元マトリックスベクトル及び鉛直次元マトリックスベクトルにそれぞれ対応する、請求項１９に記載の方法。
【請求項２３】
【数３３５】
2017522772.tif 000337
の少なくとも１つは、
【数３３６】
2017522772.tif 000338
のマトリックスの少なくとも１つであり、
【数３３７】
2017522772.tif 000339
は定数である、又は、
【数３３８】
2017522772.tif 000340
の少なくとも１つは、
【数３３９】
2017522772.tif 000341
のマトリックスの少なくとも１つであり、
【数３４０】
2017522772.tif 000342
は定数である、又は、
【数３４１】
2017522772.tif 000343
の少なくとも１つは、
【数３４２】
2017522772.tif 000344
のマトリックスの少なくとも１つであり、
【数３４３】
2017522772.tif 000345
は定数であり、
【数３４４】
2017522772.tif 000346
である、又は、
【数３４５】
2017522772.tif 000347
の少なくとも１つは、
【数３４６】
2017522772.tif 000348
のマトリックスの少なくとも１つであり、
【数３４７】
2017522772.tif 000349
は定数であり、
【数３４８】
2017522772.tif 000350
である、又は、
【数３４９】
2017522772.tif 000351
の少なくとも１つは、
【数３５０】
2017522772.tif 000352
のマトリックスの少なくとも１つ、又は、前記マトリックスの非ゼロ要素の数が２、３、４、５、６、もしくは７をとり得るマトリックスであり、
【数３５１】
2017522772.tif 000353
は定数である、
請求項１９から２２のいずれか１項に記載の方法。
【請求項２４】
【数３５２】
2017522772.tif 000354
の少なくとも１つは、
【数３５３】
2017522772.tif 000355
のマトリックスの少なくとも１つであり、
【数３５４】
2017522772.tif 000356
は定数である、又は、
【数３５５】
2017522772.tif 000357
の少なくとも１つは、
【数３５６】
2017522772.tif 000358
のマトリックスの少なくとも１つであり、
【数３５７】
2017522772.tif 000359
は定数であり、
【数３５８】
2017522772.tif 000360
である、又は、
【数３５９】
2017522772.tif 000361
の少なくとも１つは、
【数３６０】
2017522772.tif 000362
のマトリックスの少なくとも１つであり、
【数３６１】
2017522772.tif 000363
は定数である、又は、
【数３６２】
2017522772.tif 000364
の少なくとも１つは、
【数３６３】
2017522772.tif 000365
のマトリックスの少なくとも１つであり、
【数３６４】
2017522772.tif 000366
は定数であり、
【数３６５】
2017522772.tif 000367
である、又は、
【数３６６】
2017522772.tif 000368
の少なくとも１つは、
【数３６７】
2017522772.tif 000369
のマトリックスの少なくとも１つであり、
【数３６８】
2017522772.tif 000370
は定数である、
請求項１９から２３のいずれか１項に記載の方法。
【請求項２５】
【数３６９】
2017522772.tif 000371
における前記アンテナ選択マトリックスは、信号送信のためのアンテナポートを選択するために用いられる、請求項１９から２４のいずれか１項に記載の方法。
【請求項２６】
前記アンテナポートは、少なくとも２つのアンテナ要素を含み、少なくとも２つのアンテナポートに対応するアンテナ要素重み付けベクトルは、異なる、請求項２０から２５のいずれか１項に記載の方法。
【請求項２７】
少なくとも２つのアンテナポートは、同じグループのアンテナ要素に対応し、前記同じグループのアンテナ要素において対応する重み付けベクトルは、異なる、請求項２０から２６のいずれか１項に記載の方法。
【請求項２８】
少なくとも１つのアンテナユニットを備える基地局アンテナであって、前記アンテナユニットは、ドライブネットワーク選択モジュールと、少なくとも２つのドライブネットワークと、少なくとも１つのアンテナ要素グループと、を含み、各アンテナ要素グループは、少なくとも２つのアンテナ要素を含み、前記ドライブネットワークに対応するアンテナ要素重み付けベクトルは、互いに異なり、
前記ドライブネットワーク選択モジュールは、各ドライブネットワークに接続され、前記少なくとも２つのドライブネットワークから１つのドライブネットワークを選択するように構成され、これにより、送信信号が前記選択されたドライブネットワークに送信され、
前記ドライブネットワークは、任意のアンテナ要素グループの各アンテナ要素に接続され、前記送信信号に位相シフトを実行し、前記位相シフトの後に得られた送信信号を前記アンテナ要素グループの各接続されたアンテナ要素に送信するように構成され、
前記アンテナ要素グループは、前記位相シフトの後に得られた前記送信信号を送信するように構成される、
基地局アンテナ。
【請求項２９】
各アンテナ要素グループは、少なくとも２つのドライブネットワークに対応する、請求項２８に記載の基地局アンテナ。
【請求項３０】
前記アンテナユニットは、
各アンテナ要素グループの前記アンテナ要素と１対１の対応関係にある複数の信号結合器をさらに含み、
各信号結合器は、各アンテナ要素に対応するドライブネットワークの送信信号出力端に配置され、前記ドライブネットワークによって実行された位相シフト後に得られた複数の送信信号を組み合わせ、次に、組み合わせられた送信信号を前記対応するアンテナ要素に送信するように構成される、
請求項２８または２９に記載の基地局アンテナ。
【請求項３１】
前記アンテナユニットは、
前記ドライブネットワークと１対１の対応関係にある複数の電力増幅器をさらに含み、
各電力増幅器は、対応するドライブネットワークの前に配置され、前記送信信号に対して電力増幅を実行し、次に、前記電力増幅の後に得られた前記送信信号を前記対応するドライブネットワークに送信するように構成される、
請求項２８から３０のいずれか１項に記載の基地局アンテナ。
【請求項３２】
前記アンテナユニットは、
各アンテナ要素グループの前記アンテナ要素と１対１の対応関係にある複数の電力増幅器をさらに含み、
各電力増幅器は、各アンテナ要素と前記アンテナ要素に対応するドライブネットワークの送信信号出力端との間に配置され、前記ドライブネットワークによって実行された前記位相シフトの後に得られた複数の送信信号に対して電力増幅を実行し、次に、前記電力増幅の後に得られた前記複数の送信信号を前記対応するアンテナ要素に送信するように構成される、
請求項２８から３０のいずれか１項に記載の基地局アンテナ。
【発明の詳細な説明】
【技術分野】
【０００１】
本発明は、移動通信分野に関し、特に、チャネル状態情報（Ｃｈａｎｎｅｌ  Ｓｔａｔｅ  Ｉｎｆｏｒｍａｔｉｏｎ、ＣＳＩ）報告方法及び装置、ならびに基地局アンテナに関する。
【背景技術】
【０００２】
従来の多入力多出力（Ｍｕｌｔｉｐｌｅ  Ｉｎｐｕｔ  Ｍｕｌｔｉｐｌｅ  Ｏｕｔｐｕｔ、略してＭＩＭＯ）通信システムにおいて、基地局（ｅＮｏｄｅＢ）の送信アンテナは、水平方向に複数のアンテナポートを含み、鉛直方向に１つのアンテナポートを含む。複数の異なるアンテナポートは、複数の異なるアンテナ要素に対応する。アンテナビームは、異なるアンテナポート又はアンテナ要素に対して異なる重み付けベクトルを用いることによって合成される（異なるアンテナポート又はアンテナ要素に対して異なる重み付けベクトルを用いることにより、送信又は受信信号は特定の方向又は領域にアンテナビームを形成する、すなわち、特定の方向又は領域において、信号エネルギーは相対的に高く、又は信号品質は相対的に高い）。アンテナビームの幅が相対的に狭い場合、アンテナビームのカバレッジエリアは限定される。例えば、固定ダウンチルトのアンテナビームは、鉛直方向に形成される。アンテナビームの幅が相対的に狭い場合、固定ダウンチルトのアンテナビームのカバレッジエリアは限定され、システム性能損失は相対的に大きい。従って、アンテナビームのカバレッジエリアをいかに効果的に向上させるかが、至急解決すべき問題となっている。
【発明の概要】
【０００３】
前述の問題に基づいて、本発明の複数の実施形態は、チャネル状態情報ＣＳＩ報告方法及び装置、ならびに基地局アンテナを提供する。
【０００４】
第１の態様によれば、チャネル状態情報ＣＳＩ報告装置が提供される。装置は、
基地局によって送信された基準信号を受信するように構成される基準信号受信ユニットと、
基準信号受信ユニットによって受信された基準信号に基づいて、コードブックから少なくとも１つのプリコーディングマトリックスを選択するように構成されるプリコーディングマトリックス選択ユニットであって、コードブックは、プリコーディングマトリックスＷを含み、Ｗは、
【数１】
2017522772.tif 000003
を満たし、
【数２】
2017522772.tif 000004
は、クロネッカー積であり、
【数３】
2017522772.tif 000005
の少なくとも１つは、アンテナ選択マトリックスである、プリコーディングマトリックス選択ユニットと、
ＣＳＩを基地局に送信するように構成されるＣＳＩ送信ユニットであって、ＣＳＩは、プリコーディングマトリックス選択ユニットによって選択された少なくとも１つのプリコーディングマトリックスインジケータＰＭＩを含み、ＰＭＩは、選択された少なくとも１つのプリコーディングマトリックスに対応する、ＣＳＩ送信ユニットと、
を含む。
【０００５】
第１の態様を参照すると、第１の実装態様において、各基準信号は、１つのアンテナポートに対応する。
【０００６】
第１の態様を参照すると、第２の実装態様において、アンテナ選択マトリックスにおいて、各列は、少なくとも１つのゼロ要素を有する。
【０００７】
第１の態様を参照すると、第３の実装態様において、
【数４】
2017522772.tif 000006
は、水平次元マトリックスベクトル及び鉛直次元マトリックスベクトルにそれぞれ対応する。
【０００８】
第１の態様、第１の態様の第１の実装態様、第１の態様の第２の実装態様、又は第１の態様の第３の実装態様を参照すると、第４の実装態様において、
【数５】
2017522772.tif 000007
の少なくとも１つは、
【数６】
2017522772.tif 000008
のマトリックスの少なくとも１つであり、
【数７】
2017522772.tif 000009
は定数である、又は、
【数８】
2017522772.tif 000010
の少なくとも１つは、
【数９】
2017522772.tif 000011
のマトリックスの少なくとも１つであり、
【数１０】
2017522772.tif 000012
は定数である、又は、
【数１１】
2017522772.tif 000013
の少なくとも１つは、
【数１２】
2017522772.tif 000014
のマトリックスの少なくとも１つであり、
【数１３】
2017522772.tif 000015
は定数であり、
【数１４】
2017522772.tif 000016
である、又は、
【数１５】
2017522772.tif 000017
の少なくとも１つは、
【数１６】
2017522772.tif 000018
のマトリックスの少なくとも１つであり、
【数１７】
2017522772.tif 000019
は定数であり、
【数１８】
2017522772.tif 000020
である、又は、
【数１９】
2017522772.tif 000021
の少なくとも１つは、
【数２０】
2017522772.tif 000022
のマトリックスの少なくとも１つ、又は、前記マトリックスの非ゼロ要素の数が２、３、４、５、６、もしくは７をとり得るマトリックスであり、
【数２１】
2017522772.tif 000023
は定数である。
【０００９】
第１の態様の第１の実装態様、第１の態様の第２の実装態様、第１の態様の第３の実装態様、又は第１の態様の第４の実装態様を参照すると、第５の実装態様において、
【数２２】
2017522772.tif 000024
の少なくとも１つは、
【数２３】
2017522772.tif 000025
のマトリックスの少なくとも１つであり、
【数２４】
2017522772.tif 000026
は定数である、又は、
【数２５】
2017522772.tif 000027
の少なくとも１つは、
【数２６】
2017522772.tif 000028
のマトリックスの少なくとも１つであり、
【数２７】
2017522772.tif 000029
は定数であり、
【数２８】
2017522772.tif 000030
である、又は、
【数２９】
2017522772.tif 000031
の少なくとも１つは、
【数３０】
2017522772.tif 000032
のマトリックスの少なくとも１つであり、
【数３１】
2017522772.tif 000033
は定数である、又は、
【数３２】
2017522772.tif 000034
の少なくとも１つは、
【数３３】
2017522772.tif 000035
のマトリックスの少なくとも１つであり、
【数３４】
2017522772.tif 000036
は定数であり、
【数３５】
2017522772.tif 000037
である、又は、
【数３６】
2017522772.tif 000038
の少なくとも１つは、
【数３７】
2017522772.tif 000039
のマトリックスの少なくとも１つであり、
【数３８】
2017522772.tif 000040
は定数である。
【００１０】
第１の態様、第１の態様の第１の実装態様、第１の態様の第２の実装態様、第１の態様の第３の実装態様、第１の態様の第４の実装態様、又は第１の態様の第５の実装態様を参照すると、第６の実装態様において、
【数３９】
2017522772.tif 000041
におけるアンテナ選択マトリックスは、信号送信のためのアンテナポートを選択するために用いられる。
【００１１】
第１の態様の第１の実装態様、第１の態様の第２の実装態様、第１の態様の第３の実装態様、第１の態様の第４の実装態様、第１の態様の第５の実装態様、又は第１の態様の第６の実装態様を参照すると、第７の実装態様において、アンテナポートは、少なくとも２つのアンテナ要素を含み、少なくとも２つのアンテナポートに対応するアンテナ要素重み付けベクトルは、異なる。
【００１２】
第１の態様の第１の実装態様、第１の態様の第２の実装態様、第１の態様の第３の実装態様、第１の態様の第４の実装態様、第１の態様の第５の実装態様、第１の態様の第６の実装態様、又は第１の態様の第７の実装態様を参照すると、第８の実装態様において、少なくとも２つのアンテナポートは、同じグループのアンテナ要素に対応し、同じグループのアンテナ要素において対応する重み付けベクトルは、異なる。
【００１３】
第２の態様によれば、チャネル状態情報ＣＳＩ報告装置が提供される。装置は、プロセッサと、メモリと、通信バスとを含み、プロセッサ及びメモリの両方が通信バスに接続される。
メモリは、プロセッサに接続され、プロセッサによって実行されるプログラムコードを格納し、
プロセッサは、メモリに接続され、基地局によって送信された基準信号を受信し、基準信号に基づいて、コードブックから少なくとも１つのプリコーディングマトリックスを選択し、ＣＳＩを基地局に送信するように構成され、コードブックは、プリコーディングマトリックスＷを含み、Ｗは、
【数４０】
2017522772.tif 000042
を満たし、
【数４１】
2017522772.tif 000043
は、クロネッカー積であり、
【数４２】
2017522772.tif 000044
の少なくとも１つは、アンテナ選択マトリックスであり、ＣＳＩは、少なくとも１つの選択されたプリコーディングマトリックスインジケータＰＭＩを含み、ＰＭＩは、選択された少なくとも１つのプリコーディングマトリックスに対応する。
【００１４】
第２の態様を参照すると、第１の実装態様において、各基準信号は、１つのアンテナポートに対応する。
【００１５】
第２の態様を参照すると、第２の実装態様において、アンテナ選択マトリックスにおいて、各列は、少なくとも１つのゼロ要素を有する。
【００１６】
第２の態様を参照すると、第３の実装態様において、
【数４３】
2017522772.tif 000045
は、水平次元マトリックスベクトル及び鉛直次元マトリックスベクトルにそれぞれ対応する。
【００１７】
第２の態様、第２の態様の第１の実装態様、第２の態様の第２の実装態様、又は第２の態様の第３の実装態様を参照すると、第４の実装態様において、
【数４４】
2017522772.tif 000046
の少なくとも１つは、
【数４５】
2017522772.tif 000047
のマトリックスの少なくとも１つであり、
【数４６】
2017522772.tif 000048
は定数である、又は、
【数４７】
2017522772.tif 000049
の少なくとも１つは、
【数４８】
2017522772.tif 000050
のマトリックスの少なくとも１つであり、
【数４９】
2017522772.tif 000051
は定数である、又は、
【数５０】
2017522772.tif 000052
の少なくとも１つは、
【数５１】
2017522772.tif 000053
のマトリックスの少なくとも１つであり、
【数５２】
2017522772.tif 000054
は定数であり、
【数５３】
2017522772.tif 000055
である、又は、
【数５４】
2017522772.tif 000056
の少なくとも１つは、
【数５５】
2017522772.tif 000057
のマトリックスの少なくとも１つであり、
【数５６】
2017522772.tif 000058
は定数であり、
【数５７】
2017522772.tif 000059
である、又は、
【数５８】
2017522772.tif 000060
の少なくとも１つは、
【数５９】
2017522772.tif 000061
のマトリックスの少なくとも１つ、又は、前記マトリックスの非ゼロ要素の数が２、３、４、５、６、もしくは７をとり得るマトリックスであり、
【数６０】
2017522772.tif 000062
は定数である。
【００１８】
第２の態様の第１の実装態様、第２の態様の第２の実装態様、第２の態様の第３の実装態様、又は第２の態様の第４の実装態様を参照すると、第５の実装態様において、
【数６１】
2017522772.tif 000063
の少なくとも１つは、
【数６２】
2017522772.tif 000064
のマトリックスの少なくとも１つであり、
【数６３】
2017522772.tif 000065
は定数である、又は、
【数６４】
2017522772.tif 000066
の少なくとも１つは、
【数６５】
2017522772.tif 000067
のマトリックスの少なくとも１つであり、
【数６６】
2017522772.tif 000068
は定数であり、
【数６７】
2017522772.tif 000069
である、又は、
【数６８】
2017522772.tif 000070
の少なくとも１つは、
【数６９】
2017522772.tif 000071
のマトリックスの少なくとも１つであり、
【数７０】
2017522772.tif 000072
は定数である、又は、
【数７１】
2017522772.tif 000073
の少なくとも１つは、
【数７２】
2017522772.tif 000074
のマトリックスの少なくとも１つであり、
【数７３】
2017522772.tif 000075
は定数であり、
【数７４】
2017522772.tif 000076
である、又は、
【数７５】
2017522772.tif 000077
の少なくとも１つは、
【数７６】
2017522772.tif 000078
のマトリックスの少なくとも１つであり、
【数７７】
2017522772.tif 000079
は定数である。
【００１９】
第２の態様、第２の態様の第１の実装態様、第２の態様の第２の実装態様、第２の態様の第３の実装態様、第２の態様の第４の実装態様、又は第２の態様の第５の実装態様を参照すると、第６の実装態様において、
【数７８】
2017522772.tif 000080
におけるアンテナ選択マトリックスは、信号送信のためのアンテナポートを選択するために用いられる。
【００２０】
第２の態様の第１の実装態様、第２の態様の第２の実装態様、第２の態様の第３の実装態様、第２の態様の第４の実装態様、第２の態様の第５の実装態様、又は第２の態様の第６の実装態様を参照すると、第７の実装態様において、アンテナポートは、少なくとも２つのアンテナ要素を含み、少なくとも２つのアンテナポートに対応するアンテナ要素重み付けベクトルは、異なる。
【００２１】
第２の態様の第１の実装態様、第２の態様の第２の実装態様、第２の態様の第３の実装態様、第２の態様の第４の実装態様、第２の態様の第５の実装態様、第２の態様の第６の実装態様、又は第２の態様の第７の実装態様を参照すると、第８の実装態様において、少なくとも２つのアンテナポートは、同じグループのアンテナ要素に対応し、同じグループのアンテナ要素において対応する重み付けベクトルは、異なる。
【００２２】
第３の態様によれば、チャネル状態情報ＣＳＩ報告方法が提供される。方法は、
基地局によって送信された基準信号を受信する段階と、
基準信号に基づいて、コードブックから少なくとも１つのプリコーディングマトリックスを選択する段階であって、コードブックは、プリコーディングマトリックスＷを含み、Ｗは、
【数７９】
2017522772.tif 000081
を満たし、
【数８０】
2017522772.tif 000082
は、クロネッカー積であり、
【数８１】
2017522772.tif 000083
の少なくとも１つは、アンテナ選択マトリックスである、段階と、
ＣＳＩを基地局に送信する段階であって、ＣＳＩは、選択された少なくとも１つのプリコーディングマトリックスインジケータＰＭＩを含み、ＰＭＩは、選択された少なくとも１つのプリコーディングマトリックスに対応する、段階と、
を含む。
【００２３】
第３の態様を参照すると、第１の実装態様において、各基準信号は、１つのアンテナポートに対応する。
【００２４】
第３の態様を参照すると、第２の実装態様において、アンテナ選択マトリックスにおいて、各列は、少なくとも１つのゼロ要素を有する。
【００２５】
第３の態様を参照すると、第３の実装態様において、
【数８２】
2017522772.tif 000084
は、水平次元マトリックスベクトル及び鉛直次元マトリックスベクトルにそれぞれ対応する。
【００２６】
第３の態様、第３の態様の第１の実装態様、第３の態様の第２の実装態様、又は第３の態様の第３の実装態様を参照すると、第４の実装態様において、
【数８３】
2017522772.tif 000085
の少なくとも１つは、
【数８４】
2017522772.tif 000086
のマトリックスの少なくとも１つであり、
【数８５】
2017522772.tif 000087
は定数である、又は、
【数８６】
2017522772.tif 000088
の少なくとも１つは、
【数８７】
2017522772.tif 000089
のマトリックスの少なくとも１つであり、
【数８８】
2017522772.tif 000090
は定数である、又は、
【数８９】
2017522772.tif 000091
の少なくとも１つは、
【数９０】
2017522772.tif 000092
のマトリックスの少なくとも１つであり、
【数９１】
2017522772.tif 000093
は定数であり、
【数９２】
2017522772.tif 000094
である、又は、
【数９３】
2017522772.tif 000095
の少なくとも１つは、
【数９４】
2017522772.tif 000096
のマトリックスの少なくとも１つであり、
【数９５】
2017522772.tif 000097
は定数であり、
【数９６】
2017522772.tif 000098
である、又は、
【数９７】
2017522772.tif 000099
の少なくとも１つは、
【数９８】
2017522772.tif 000100
のマトリックスの少なくとも１つ、又は、前記マトリックスの非ゼロ要素の数が２、３、４、５、６、もしくは７をとり得るマトリックスであり、
【数９９】
2017522772.tif 000101
は定数である。
【００２７】
第３の態様の第１の実装態様、第３の態様の第２の実装態様、第３の態様の第３の実装態様、又は第３の態様の第４の実装態様を参照すると、第５の実装態様において、
【数１００】
2017522772.tif 000102
の少なくとも１つは、
【数１０１】
2017522772.tif 000103
のマトリックスの少なくとも１つであり、
【数１０２】
2017522772.tif 000104
は定数である、又は、
【数１０３】
2017522772.tif 000105
の少なくとも１つは、
【数１０４】
2017522772.tif 000106
のマトリックスの少なくとも１つであり、
【数１０５】
2017522772.tif 000107
は定数であり、
【数１０６】
2017522772.tif 000108
である、又は、
【数１０７】
2017522772.tif 000109
の少なくとも１つは、
【数１０８】
2017522772.tif 000110
のマトリックスの少なくとも１つであり、
【数１０９】
2017522772.tif 000111
は定数である、又は、
【数１１０】
2017522772.tif 000112
の少なくとも１つは、
【数１１１】
2017522772.tif 000113
のマトリックスの少なくとも１つであり、
【数１１２】
2017522772.tif 000114
は定数であり、
【数１１３】
2017522772.tif 000115
である、又は、
【数１１４】
2017522772.tif 000116
の少なくとも１つは、
【数１１５】
2017522772.tif 000117
のマトリックスの少なくとも１つであり、
【数１１６】
2017522772.tif 000118
は定数である。
【００２８】
第３の態様、第３の態様の第１の実装態様、第３の態様の第２の実装態様、第３の態様の第３の実装態様、第３の態様の第４の実装態様、又は第３の態様の第５の実装態様を参照すると、第６の実装態様において、
【数１１７】
2017522772.tif 000119
におけるアンテナ選択マトリックスは、信号送信のためのアンテナポートを選択するために用いられる。
【００２９】
第３の態様の第１の実装態様、第３の態様の第２の実装態様、第３の態様の第３の実装態様、第３の態様の第４の実装態様、第３の態様の第５の実装態様、又は第３の態様の第６の実装態様を参照すると、第７の実装態様において、アンテナポートは、少なくとも２つのアンテナ要素を含み、少なくとも２つのアンテナポートに対応するアンテナ要素重み付けベクトルは、異なる。
【００３０】
第３の態様の第１の実装態様、第３の態様の第２の実装態様、第３の態様の第３の実装態様、第３の態様の第４の実装態様、第３の態様の第５の実装態様、第３の態様の第６の実装態様、又は第３の態様の第７の実装態様を参照すると、第８の実装態様において、少なくとも２つのアンテナポートは、同じグループのアンテナ要素に対応し、同じグループのアンテナ要素において対応する重み付けベクトルは、異なる。
【００３１】
第４の態様によれば、基地局アンテナが提供される。基地局アンテナは、少なくとも１つのアンテナユニットを含み、アンテナユニットは、ドライブネットワーク選択モジュールと、少なくとも２つのドライブネットワークと、少なくとも１つのアンテナ要素グループと、を含み、各アンテナ要素グループは、少なくとも２つのアンテナ要素を含み、ドライブネットワークに対応するアンテナ要素重み付けベクトルは、互いに異なり、
ドライブネットワーク選択モジュールは、各ドライブネットワークに接続され、少なくとも２つのドライブネットワークから１つのドライブネットワークを選択するように構成され、これにより、送信信号が選択されたドライブネットワークに送信され、
ドライブネットワークは、任意のアンテナ要素グループの各アンテナ要素に接続され、送信信号に位相シフトを実行し、位相シフトの後に得られた送信信号をアンテナ要素グループの各接続されたアンテナ要素に送信するように構成され、
アンテナ要素グループは、位相シフトの後に得られた送信信号を送信するように構成される。
【００３２】
第４の態様を参照すると、第１の実装態様において、各アンテナ要素グループは、少なくとも２つのドライブネットワークに対応する。
【００３３】
第４の態様又は第４の態様の第１の実装態様を参照すると、第２の実装態様において、アンテナユニットは、
各アンテナ要素グループのアンテナ要素と１対１の対応関係にある複数の信号結合器をさらに含み、
各信号結合器は、各アンテナ要素に対応するドライブネットワークの送信信号出力端に配置され、ドライブネットワークによって実行された位相シフト後に得られた複数の送信信号を組み合わせ、次に、組み合わせられた送信信号を対応するアンテナ要素に送信するように構成される。
【００３４】
第４の態様、第４の態様の第１の実装態様、又は第４の態様の第２の実装態様を参照すると、第３の実装態様において、アンテナユニットは、
ドライブネットワークと１対１の対応関係にある複数の電力増幅器をさらに含み、
各電力増幅器は、対応するドライブネットワークの前に配置され、送信信号に対して電力増幅を実行し、次に、電力増幅の後に得られた送信信号を対応するドライブネットワークに送信するように構成される。
【００３５】
第４の態様、第４の態様の第１の実装態様、又は第４の態様の第２の実装態様を参照すると、第４の実装態様において、アンテナユニットは、
各アンテナ要素グループのアンテナ要素と１対１の対応関係にある複数の電力増幅器をさらに含み、
各電力増幅器は、各アンテナ要素とアンテナ要素に対応するドライブネットワークの送信信号出力端との間に配置され、ドライブネットワークによって実行された位相シフトの後に得られた複数の送信信号に対して電力増幅を実行し、次に、電力増幅の後に得られた複数の送信信号を対応するアンテナ要素に送信するように構成される。
【００３６】
本発明の複数の実施形態の技術的解決手段において、少なくとも１つのプリコーディングマトリックスは、基地局によって送信された基準信号に基づいて、コードブックから選択され、ＣＳＩは、基地局に送信される。ＣＳＩは、少なくとも１つの選択されたプリコーディングマトリックスインジケータＰＭＩを含み、ＰＭＩは、選択された少なくとも１つのプリコーディングマトリックスに対応する。コードブックに含まれる少なくとも１つのプリコーディングマトリックスＷは、
【数１１８】
2017522772.tif 000120
として表されてよく、
【数１１９】
2017522772.tif 000121
はクロネッカー積であり、
【数１２０】
2017522772.tif 000122
の少なくとも１つは、アンテナ選択マトリックスである。従って、本発明の複数の実施形態において、基地局は、フィードバックされた少なくとも１つのプリコーディングマトリックスに従って、信号を送信する１つ又は複数のアンテナポートを選択してよい。各アンテナポートは、１つのアンテナ要素位相重み付けベクトルに対応する。異なるアンテナ要素位相重み付けベクトルは、異なるアンテナポートを選択することによって選択され、これにより、アンテナビームは変化し、アンテナビームカバレッジステータスを効果的に向上させることができる。
【図面の簡単な説明】
【００３７】
【図１】本発明の実施形態に係るＣＳＩ報告装置の模式構造図である。
【００３８】
【図２】本発明の実施形態に係るＣＳＩ報告装置のハードウェア構造図である。
【００３９】
【図３】本発明の実施形態に係るＣＳＩ報告方法の実装フローチャートである。
【００４０】
【図４Ａ】アンテナ構成にある鉛直アンテナポート及び水平アンテナポートの模式図である。
【００４１】
【図４Ｂ】アンテナ構成にある鉛直アンテナポート及び水平アンテナポートの模式図である。
【００４２】
【図４Ｃ】鉛直次元に形成されたアンテナビームを示す。
【００４３】
【図４Ｄ】水平次元に形成されたアンテナビームを示す。
【００４４】
【図５】本発明の実施形態に係る他のＣＳＩ報告方法の実装フローチャートである。
【００４５】
【図６】本発明の実施形態に係るアンテナユニットの模式構造図である。
【００４６】
【図７】本発明の実施形態に係る基地局アンテナの模式アーキテクチャ図である。
【００４７】
【図８】本発明の実施形態に係る他の基地局アンテナの模式構造図である。
【００４８】
【図９】本発明の実施形態に係る他の基地局アンテナの模式構造図である。
【００４９】
【図１０】本発明の実施形態に係る他の基地局アンテナの模式構造図である。
【００５０】
【図１１】本発明の実施形態に係る他の基地局アンテナの模式構造図である。
【００５１】
【図１２】本発明の実施形態に係る他の基地局アンテナの模式構造図である。
【発明を実施するための形態】
【００５２】
アンテナビームのカバレッジエリアが限定されるという従来技術の問題に対して、本発明の複数の実施形態は、チャネル状態情報ＣＳＩ報告方法及び装置、ならびに基地局アンテナを提供する。複数の技術的解決手段において、少なくとも１つのプリコーディングマトリックスは、基地局によって送信された基準信号に基づいて、コードブックから選択され、ＣＳＩは、基地局に送信される。ＣＳＩは、少なくとも１つの選択されたプリコーディングマトリックスインジケータＰＭＩを含み、ＰＭＩは、選択された少なくとも１つのプリコーディングマトリックスに対応する。コードブックに含まれる少なくとも１つのプリコーディングマトリックスＷは、
【数１２１】
2017522772.tif 000123
として表されてよく、
【数１２２】
2017522772.tif 000124
はクロネッカー積であり、
【数１２３】
2017522772.tif 000125
の少なくとも１つは、アンテナ選択マトリックスである。従って、本発明の複数の実施形態において、基地局は、フィードバックされた少なくとも１つのプリコーディングマトリックスに従って、信号を送信する１つ又は複数のアンテナポートを選択してよい。各アンテナポートは、１つのアンテナ要素位相重み付けベクトルに対応する。異なるアンテナ要素位相重み付けベクトルは、異なるアンテナポートを選択することによって選択され、これにより、アンテナビームは変化し、アンテナビームカバレッジステータスを効果的に向上させることができる。
【００５３】
以下、本発明の複数の実施形態の技術的解決手段の主な実装の原則、特定の実装態様、及び対応する有益な効果を本明細書の添付図面を参照して詳細に説明する。
【００５４】
本発明の複数の実施形態において提供されるＣＳＩ報告解決手段は、主に、プリコーディングマトリックスを選択することによって実装され、アンテナビームカバレッジステータスを向上させる。
【００５５】
図１に示されるように、図１は、本発明の実施形態に係るＣＳＩ報告装置の模式構造図である。ＣＳＩ報告装置は、
基地局によって送信された基準信号を受信するように構成される基準信号受信ユニット１１と、
基準信号受信ユニット１１によって受信された基準信号に基づいて、コードブックから少なくとも１つのプリコーディングマトリックスを選択するように構成されるプリコーディングマトリックス選択ユニット１２であって、コードブックは、プリコーディングマトリックスＷを含み、Ｗは、
【数１２４】
2017522772.tif 000126
を満たし、
【数１２５】
2017522772.tif 000127
は、クロネッカー積であり、
【数１２６】
2017522772.tif 000128
の少なくとも１つは、アンテナ選択マトリックスである、プリコーディングマトリックス選択ユニットと、
ＣＳＩを基地局に送信するように構成されるＣＳＩ送信ユニット１３であって、ＣＳＩは、プリコーディングマトリックス選択ユニット１２によって選択された少なくとも１つのプリコーディングマトリックスインジケータＰＭＩを含み、ＰＭＩは、選択された少なくとも１つのプリコーディングマトリックスに対応する、ＣＳＩ送信ユニットと、
を含む。
【００５６】
任意に、各基準信号は、１つのアンテナポートに対応する。
【００５７】
任意に、アンテナ選択マトリックスにおいて、各列は、少なくとも１つのゼロ要素を有する。
【００５８】
任意に、
【数１２７】
2017522772.tif 000129
は、水平次元マトリックスベクトル及び鉛直次元マトリックスベクトルにそれぞれ対応する。
【００５９】
任意に、
【数１２８】
2017522772.tif 000130
の少なくとも１つは、
【数１２９】
2017522772.tif 000131
のマトリックスの少なくとも１つであり、
【数１３０】
2017522772.tif 000132
は定数である、又は、
【数１３１】
2017522772.tif 000133
の少なくとも１つは、
【数１３２】
2017522772.tif 000134
のマトリックスの少なくとも１つであり、
【数１３３】
2017522772.tif 000135
は定数である、又は、
【数１３４】
2017522772.tif 000136
の少なくとも１つは、
【数１３５】
2017522772.tif 000137
のマトリックスの少なくとも１つであり、
【数１３６】
2017522772.tif 000138
は定数であり、
【数１３７】
2017522772.tif 000139
である、又は、
【数１３８】
2017522772.tif 000140
の少なくとも１つは、
【数１３９】
2017522772.tif 000141
のマトリックスの少なくとも１つであり、
【数１４０】
2017522772.tif 000142
は定数であり、
【数１４１】
2017522772.tif 000143
である、又は、
【数１４２】
2017522772.tif 000144
の少なくとも１つは、
【数１４３】
2017522772.tif 000145
のマトリックスの少なくとも１つ、又は、前記マトリックスの非ゼロ要素の数が２、３、４、５、６、もしくは７をとり得るマトリックスであり、
【数１４４】
2017522772.tif 000146
は定数である。
【００６０】
任意に、
【数１４５】
2017522772.tif 000147
の少なくとも１つは、
【数１４６】
2017522772.tif 000148
のマトリックスの少なくとも１つであり、
【数１４７】
2017522772.tif 000149
は定数である、又は、
【数１４８】
2017522772.tif 000150
の少なくとも１つは、
【数１４９】
2017522772.tif 000151
のマトリックスの少なくとも１つであり、
【数１５０】
2017522772.tif 000152
は定数であり、
【数１５１】
2017522772.tif 000153
である、又は、
【数１５２】
2017522772.tif 000154
の少なくとも１つは、
【数１５３】
2017522772.tif 000155
のマトリックスの少なくとも１つであり、
【数１５４】
2017522772.tif 000156
は定数である、又は、
【数１５５】
2017522772.tif 000157
の少なくとも１つは、
【数１５６】
2017522772.tif 000158
のマトリックスの少なくとも１つであり、
【数１５７】
2017522772.tif 000159
は定数であり、
【数１５８】
2017522772.tif 000160
である、又は、
【数１５９】
2017522772.tif 000161
の少なくとも１つは、
【数１６０】
2017522772.tif 000162
のマトリックスの少なくとも１つであり、
【数１６１】
2017522772.tif 000163
は定数である。
【００６１】
任意に、
【数１６２】
2017522772.tif 000164
におけるアンテナ選択マトリックスは、信号送信のためのアンテナポートを選択するために用いられる。
【００６２】
任意に、アンテナポートは、少なくとも２つのアンテナ要素を含み、少なくとも２つのアンテナポートに対応するアンテナ要素重み付けベクトルは、異なる。
【００６３】
任意に、少なくとも２つのアンテナポートは、同じグループのアンテナ要素に対応し、同じグループのアンテナ要素において対応する重み付けベクトルは、異なる。
【００６４】
前述された装置に基づいて、図２に示されるように、図２は、本発明の実施形態に係る装置のハードウェア構造図であり、装置は、プロセッサ２１と、メモリ２２と、通信バス２３とを含む。プロセッサ２１及びメモリ２２の両方は、通信バス２３に接続される。
【００６５】
プロセッサ２１は、汎用中央処理装置（ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本発明の解決手段のプログラムの実行を制御する１つ又は複数の集積回路であってよい。
【００６６】
通信バス２３は、前述された複数のコンポーネントの間で情報を伝達する経路を含んでよい。
【００６７】
メモリ２２は、プロセッサ２１に接続され、プロセッサ２１によって実行されるプログラムコードを格納する。
【００６８】
プロセッサ２１は、メモリ２２に接続され、基地局によって送信された基準信号を受信し、基準信号に基づいて、コードブックから少なくとも１つのプリコーディングマトリックスを選択し、ＣＳＩを基地局に送信するように構成され、コードブックは、プリコーディングマトリックスＷを含み、Ｗは、
【数１６３】
2017522772.tif 000165
を満たし、
【数１６４】
2017522772.tif 000166
は、クロネッカー積であり、
【数１６５】
2017522772.tif 000167
の少なくとも１つは、アンテナ選択マトリックスであり、
ＣＳＩは、少なくとも１つの選択されたプリコーディングマトリックスインジケータＰＭＩを含み、ＰＭＩは、選択された少なくとも１つのプリコーディングマトリックスに対応する。
【００６９】
任意に、各基準信号は、１つのアンテナポートに対応する。
【００７０】
任意に、アンテナ選択マトリックスにおいて、各列は、少なくとも１つのゼロ要素を有する。
【００７１】
任意に、
【数１６６】
2017522772.tif 000168
は、水平次元マトリックスベクトル及び鉛直次元マトリックスベクトルにそれぞれ対応する。
【００７２】
任意に、
【数１６７】
2017522772.tif 000169
の少なくとも１つは、
【数１６８】
2017522772.tif 000170
のマトリックスの少なくとも１つであり、
【数１６９】
2017522772.tif 000171
は定数である、又は、
【数１７０】
2017522772.tif 000172
の少なくとも１つは、
【数１７１】
2017522772.tif 000173
のマトリックスの少なくとも１つであり、
【数１７２】
2017522772.tif 000174
は定数である、又は、
【数１７３】
2017522772.tif 000175
の少なくとも１つは、
【数１７４】
2017522772.tif 000176
のマトリックスの少なくとも１つであり、
【数１７５】
2017522772.tif 000177
は定数であり、
【数１７６】
2017522772.tif 000178
である、又は、
【数１７７】
2017522772.tif 000179
の少なくとも１つは、
【数１７８】
2017522772.tif 000180
のマトリックスの少なくとも１つであり、
【数１７９】
2017522772.tif 000181
は定数であり、
【数１８０】
2017522772.tif 000182
である、又は、
【数１８１】
2017522772.tif 000183
の少なくとも１つは、
【数１８２】
2017522772.tif 000184
のマトリックスの少なくとも１つ、又は、前記マトリックスの非ゼロ要素の数が２、３、４、５、６、もしくは７をとり得るマトリックスであり、
【数１８３】
2017522772.tif 000185
は定数である。
【００７３】
任意に、
【数１８４】
2017522772.tif 000186
の少なくとも１つは、
【数１８５】
2017522772.tif 000187
のマトリックスの少なくとも１つであり、
【数１８６】
2017522772.tif 000188
は定数である、又は、
【数１８７】
2017522772.tif 000189
の少なくとも１つは、
【数１８８】
2017522772.tif 000190
のマトリックスの少なくとも１つであり、
【数１８９】
2017522772.tif 000191
は定数であり、
【数１９０】
2017522772.tif 000192
である、又は、
【数１９１】
2017522772.tif 000193
の少なくとも１つは、
【数１９２】
2017522772.tif 000194
のマトリックスの少なくとも１つであり、
【数１９３】
2017522772.tif 000195
は定数である、又は、
【数１９４】
2017522772.tif 000196
の少なくとも１つは、
【数１９５】
2017522772.tif 000197
のマトリックスの少なくとも１つであり、
【数１９６】
2017522772.tif 000198
は定数であり、
【数１９７】
2017522772.tif 000199
である、又は、
【数１９８】
2017522772.tif 000200
の少なくとも１つは、
【数１９９】
2017522772.tif 000201
のマトリックスの少なくとも１つであり、
【数２００】
2017522772.tif 000202
は定数である。
【００７４】
任意に、
【数２０１】
2017522772.tif 000203
におけるアンテナ選択マトリックスは、信号送信のためのアンテナポートを選択するために用いられる。
【００７５】
任意に、アンテナポートは、少なくとも２つのアンテナ要素を含み、少なくとも２つのアンテナポートに対応するアンテナ要素重み付けベクトルは、異なる。
【００７６】
任意に、少なくとも２つのアンテナポートは、同じグループのアンテナ要素に対応し、同じグループのアンテナ要素において対応する重み付けベクトルは、異なる。
【００７７】
前述された装置に基づいて、図３に示されるように、図３は、本発明の実施形態に係るＣＳＩ報告方法の実装フローチャートである。方法は、ユーザ機器（Ｕｓｅｒ  Ｅｑｕｉｐｍｅｎｔ、ＵＥ）によって実行されてよく、以下の段階を含む。
【００７８】
段階３１において、ＵＥは、基地局によって送信された基準信号を受信する。
【００７９】
具体的には、基地局によって送信された基準信号は、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ  ＲＳ）、復調基準信号（Ｄｅｍｏｄｕｌａｔｉｏｎ  ＲＳ、ＤＭ  ＲＳ）、又はセル固有基準信号（Ｃｅｌｌ−ｓｐｅｃｉｆｉｃ  ＲＳ、ＣＲＳ）を含んでよい。
【００８０】
ＵＥは、基地局ｅＮＢの通知（例えば、無線リソース制御プロトコル（Ｒａｄｉｏ  Ｒｅｓｏｕｒｃｅ  Ｃｏｎｔｒｏｌ、ＲＲＣ）シグナリングもしくはダウンリンク制御情報（Ｄｏｗｎｌｉｎｋ  Ｃｏｎｔｒｏｌ  Ｉｎｆｏｒｍａｔｉｏｎ、ＤＣＩ））を受信することによって、又はセル識別ＩＤに基づいて、基準信号のリソース構成を取得し、対応するリソース又はサブフレームから基準信号を得てよい。
【００８１】
基地局によって送信された各基準信号は、１つのアンテナポートに対応する。任意に、本明細書のアンテナポートは、ユーザ端末の観点から説明される。基地局側において、各ドライブネットワーク及びドライブネットワークに接続されるアンテナ要素は、共に１つの仮想アンテナポートとみなされてよい。
【００８２】
例えば、ドライブネットワーク１に対応するＮ個のアンテナ要素がドライブネットワーク２に対応するものと同じである場合、基準信号Ａは、ドライブネットワーク１を用いることによって送信され、基準信号Ｂは、ドライブネットワーク２を用いることによって送信され、ドライブネットワーク１及び対応するＮ個のアンテナ要素は、アンテナポート１であると仮想化され、ドライブネットワーク２及び対応するＮ個のアンテナ要素は、アンテナポート２であると仮想化される。
【００８３】
本発明の本実施形態において説明されるドライブネットワークは、ドライブネットワークに接続される複数のアンテナ要素に対する重み付けベクトルを変化させるべく、基地局側において送信信号に位相シフトを実行するように主に構成されることに留意されたい。
【００８４】
段階３２において、ＵＥは、受信された基準信号に基づいて、コードブックから少なくとも１つのプリコーディングマトリックスを選択する。コードブックに含まれるプリコーディングマトリックスＷは、
【数２０２】
2017522772.tif 000204
を満たし、
【数２０３】
2017522772.tif 000205
は、コードブックに含まれるプリコーディングマトリックスであり、
【数２０４】
2017522772.tif 000206
は、クロネッカー積であり、
【数２０５】
2017522772.tif 000207
の少なくとも１つは、アンテナ選択マトリックスである。
【００８５】
任意に、
【数２０６】
2017522772.tif 000208
は、水平次元マトリックスベクトル及び鉛直次元マトリックスベクトルにそれぞれ対応してよい。
【００８６】
アンテナ選択マトリックスを含むプリコーディングベクトルは、鉛直次元アンテナポート又は水平次元アンテナポートであってよく、これは、本明細書に限定されるものではないことに留意されたい。本明細書で説明される鉛直次元アンテナポートは、平面アンテナアレイにおける複数のアンテナポートの各列を指し、水平次元アンテナポートは、平面アンテナアレイにおける複数のアンテナポートの各行を指す。例えば、アンテナ構成における鉛直アンテナポート及び水平アンテナポートは、図４Ａに示される。Ｎ個の水平アンテナポート及びＭ個の鉛直アンテナポートが図４Ａに存在し、各アンテナポートは、１つのグループのアンテナ要素に対応する。他のアンテナ構成における複数の鉛直アンテナポート及び水平アンテナポートが、図４Ｂに示される。２Ｎ個の水平アンテナポート及びＭ個の鉛直アンテナポートが図４Ｂに存在し、各アンテナポートは、１つのグループのアンテナ要素に対応する。
【００８７】
任意に、アンテナ選択マトリックスにおいて、各列は、少なくとも１つのゼロ要素を有する。
【００８８】
前述の条件に基づいて、
【数２０７】
2017522772.tif 000209
の少なくとも１つは、
【数２０８】
2017522772.tif 000210
のマトリックスの少なくとも１つであってよく、
【数２０９】
2017522772.tif 000211
は定数である、又は、
【数２１０】
2017522772.tif 000212
の少なくとも１つは、
【数２１１】
2017522772.tif 000213
のマトリックスの少なくとも１つであってよく、
【数２１２】
2017522772.tif 000214
は定数である、又は、
【数２１３】
2017522772.tif 000215
の少なくとも１つは、
【数２１４】
2017522772.tif 000216
のマトリックスの少なくとも１つであってよく、
【数２１５】
2017522772.tif 000217
は定数であり、
【数２１６】
2017522772.tif 000218
である、又は、
【数２１７】
2017522772.tif 000219
の少なくとも１つは、
【数２１８】
2017522772.tif 000220
のマトリックスの少なくとも１つであり、
【数２１９】
2017522772.tif 000221
は定数であり、
【数２２０】
2017522772.tif 000222
である、又は、
【数２２１】
2017522772.tif 000223
の少なくとも１つは、
【数２２２】
2017522772.tif 000224
のマトリックスの少なくとも１つ、又は、前記マトリックスの非ゼロ要素の数が２、３、４、５、６、もしくは７をとり得るマトリックスであり、
【数２２３】
2017522772.tif 000225
は定数である。
【００８９】
上に列挙された複数のマトリックス形式において、
【数２２４】
2017522772.tif 000226
は、マトリックス形式の１つのみから選択されてよく、又は、複数のマトリックス形式から選択されてよいことに留意されたい。
【００９０】
さらに、
【数２２５】
2017522772.tif 000227
の少なくとも１つは、
【数２２６】
2017522772.tif 000228
のマトリックスの少なくとも１つであってよく、
【数２２７】
2017522772.tif 000229
は定数である、又は、
【数２２８】
2017522772.tif 000230
の少なくとも１つは、
【数２２９】
2017522772.tif 000231
のマトリックスの少なくとも１つであってよく、
【数２３０】
2017522772.tif 000232
は定数であり、
【数２３１】
2017522772.tif 000233
である、又は、
【数２３２】
2017522772.tif 000234
の少なくとも１つは、
【数２３３】
2017522772.tif 000235
のマトリックスの少なくとも１つであってよく、
【数２３４】
2017522772.tif 000236
は定数である、又は、
【数２３５】
2017522772.tif 000237
の少なくとも１つは、
【数２３６】
2017522772.tif 000238
のマトリックスの少なくとも１つであってよく、
【数２３７】
2017522772.tif 000239
は定数であり、
【数２３８】
2017522772.tif 000240
である、又は、
【数２３９】
2017522772.tif 000241
の少なくとも１つは、
【数２４０】
2017522772.tif 000242
のマトリックスの少なくとも１つであってよく、
【数２４１】
2017522772.tif 000243
は定数である。
【００９１】
前述された最後のマトリックス形式では、比較的典型的ないくつかのマトリックスのみが列挙されていることに留意されたい。実際の適用においては、各列は、少なくとも１つのゼロ要素を有するだけでよい。
【００９２】
本発明の本実施形態において、
【数２４２】
2017522772.tif 000244
におけるアンテナ選択マトリックスは、主に、信号送信のためのアンテナポートを選択するために用いられる。例えば、
【数２４３】
2017522772.tif 000245
の場合、すなわち、
【数２４４】
2017522772.tif 000246
が鉛直次元プリコーディングベクトルを表す場合、１つのアンテナポートが鉛直次元の２つのアンテナポートから選択される。
【００９３】
アンテナ選択マトリックスを含むプリコーディングベクトルは、鉛直次元アンテナ又は水平次元アンテナであってよく、これは、本明細書に限定されるものではないことに留意されたい。
【００９４】
アンテナポートは、少なくとも２つのアンテナ要素を含んでよく、少なくとも２つのアンテナポートに対応するアンテナ要素重み付けベクトルは、異なる。
【００９５】
さらに、少なくとも２つのアンテナポートは、同じグループのアンテナ要素に対応してよく、同じグループのアンテナ要素において対応する重み付けベクトルは、異なる。
【００９６】
例において、４つのアンテナ要素（ａ１、ａ２、ａ３及びａ４）は、ドライブネットワーク１及びドライブネットワーク２の各々に対応する。従って、４つのアンテナ要素に対して、ドライブネットワーク１の対応する位相重み付けベクトルは、
【数２４５】
2017522772.tif 000247
であってよく、
４つのアンテナ要素に対して、ドライブネットワーク２の対応する位相重み付けベクトルは、
【数２４６】
2017522772.tif 000248
であってよく、
【数２４７】
2017522772.tif 000249
である。
【００９７】
さらに、少なくとも１つのプリコーディングマトリックスがコードブックから選択される場合、少なくとも１つのプリコーディングマトリックスは、予め定められた基準に従って選択されてよい。予め定められた基準は、限定されるものではないが、以下の基準、すなわち、最大チャネル容量基準、最大スループット基準、又は最小弦距離基準の少なくとも１つを含んでよい。
【００９８】
具体的には、ＵＥは、基準信号に基づいて、チャネル推定値を取得し、チャネル推定値及びコードブックのプリコーディングマトリックスに基づいて、チャネル容量、スループット、弦距離等を計算し、前述の予め定められた基準に従って、コードブックから対応するプリコーディングマトリックスを選択してよい。
【００９９】
本発明の本実施形態において、コードブックは、予め定められてよく、又は、ＵＥによって基地局ｅＮＢに報告され、ＵＥの報告に基づいて基地局ｅＮＢによって決定され、ＵＥに通知されてよい。又は、コードブックは、ＵＥによって決定及び報告されたコードブック、例えば、最近報告されたコードブックである。
【０１００】
段階３３において、ＵＥは、基地局にＣＳＩをフィードバックする。ここで、ＣＳＩは、少なくとも１つの選択されたプリコーディングマトリックスインジケータＰＭＩを含み、ＰＭＩは、選択された少なくとも１つのプリコーディングマトリックスに対応する。
【０１０１】
基地局は、ＣＳＩから、ＵＥによって選択されたプリコーディングマトリックス、すなわち、選択された対応するアンテナポートを認識する。
【０１０２】
具体的には、この段階の実装態様は、以下の通りであってよい。
【０１０３】
ＵＥは、ＰＭＩを含むＣＳＩを基地局に送信する。ＰＭＩは、１つの特定値のみを含んでよく、この場合、ＰＭＩ情報は、プリコーディングマトリックス
【数２４８】
2017522772.tif 000250
を直接示す。例えば、全部で２５６個の異なるプリコーディングマトリックスが存在し、０、１、…、及び２５５と付番されたプリコーディングマトリックスＷは、ＰＭＩ＝０、…、及び２５５を用いることによって、それぞれ示されてよい。
【０１０４】
具体的には、この段階の他の実装態様は、以下の通りであってよい。ＵＥは、ＰＭＩを含むＣＳＩを基地局に送信し、ＰＭＩは、ＰＭＩ１及びＰＭＩ２を含んでよい。ここで、ＰＭＩ１及びＰＭＩ２は、前述の式（１）における
【数２４９】
2017522772.tif 000251
にそれぞれ対応する。ＰＭＩ１は、ＰＭＩ１１及びＰＭＩ１２で表されてもよく、ＰＭＩ２は、ＰＭＩ２１及びＰＭＩ２２で表されてもよい。
【０１０５】
さらに、プリコーディングマトリックスは、プリコーディングマトリックスセット又はコードブックに含まれてよく、ＰＭＩは、プリコーディングマトリックスセット又はコードブックから選択されたプリコーディングマトリックスを示すために用いられる。
【０１０６】
さらに、ＰＭＩは、異なる時間領域粒度もしくは周波数領域粒度を有してよく、又は、異なる時間領域粒度もしくは周波数領域粒度は、異なるサブフレーム期間又はサブバンドサイズに基づいて取得される。
【０１０７】
具体的には、ＵＥによってＰＭＩを含むＣＳＩを基地局に送信する段階は、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）又は物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を用いることによって、ＵＥによってＣＳＩを基地局に送信する段階であってよい。
【０１０８】
本発明の本実施形態において説明されるプリコーディングマトリックスＷは、行又は列の変更後に取得されたプリコーディングマトリックスであってよいことに留意されたい。例えば、異なるアンテナ数は、適宜、プリコーディングマトリックスの行の変更につながる。
【０１０９】
本発明の本実施形態において、少なくとも１つのプリコーディングマトリックスは、基地局によって送信された基準信号に基づいて、コードブックから選択され、ＣＳＩは、基地局に送信される。ＣＳＩは、少なくとも１つの選択されたプリコーディングマトリックスインジケータＰＭＩを含み、ＰＭＩは、選択された少なくとも１つのプリコーディングマトリックスに対応する。コードブックに含まれる少なくとも１つのプリコーディングマトリックスＷは、
【数２５０】
2017522772.tif 000252
を満たす。
【数２５１】
2017522772.tif 000253
はクロネッカー積であり、
【数２５２】
2017522772.tif 000254
の少なくとも１つは、アンテナ選択マトリックスである。従って、本発明の本実施形態において、基地局は、フィードバックされた少なくとも１つのプリコーディングマトリックスに従って、信号を送信する１つ又は複数のアンテナポートを選択してよい。各アンテナポートは、１つのアンテナ要素位相重み付けベクトルに対応する。異なるアンテナ要素位相重み付けベクトルは、異なるアンテナポートを選択することによって選択され、これにより、アンテナビームは変化し、アンテナビームカバレッジステータスを効果的に向上させることができる。
【０１１０】
任意に、アンテナビームは、鉛直次元に、水平次元に、又は鉛直及び水平次元の両方において、形成されてよい。例えば、鉛直次元の複数のアンテナビームが図４Ｃに示され、水平次元の複数のアンテナビームが図４Ｄに示される。
【０１１１】
プリコーディングマトリックスに基づく前述のＣＳＩ報告方法に加えて、本発明の実施形態は、他のＣＳＩ報告方法をさらに提供する。図５に示されるように、図５は、方法の実装フローチャートである。方法は、ＵＥによって実行されてよい。方法は、以下の段階を含む。
【０１１２】
段階５１において、ＵＥは、基地局によって送信された基準信号を受信する。
【０１１３】
具体的には、基地局によって送信された基準信号は、チャネル状態情報基準信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、ＣＳＩ  ＲＳ）、復調基準信号（Ｄｅｍｏｄｕｌａｔｉｏｎ  ＲＳ、ＤＭ  ＲＳ）、又はセル固有基準信号（Ｃｅｌｌ−ｓｐｅｃｉｆｉｃ  ＲＳ、ＣＲＳ）を含んでよい。
【０１１４】
ＵＥは、基地局ｅＮＢの通知（例えば、無線リソース制御プロトコル（Ｒａｄｉｏ  Ｒｅｓｏｕｒｃｅ  Ｃｏｎｔｒｏｌ、ＲＲＣ）シグナリングもしくはダウンリンク制御情報（Ｄｏｗｎｌｉｎｋ  Ｃｏｎｔｒｏｌ  Ｉｎｆｏｒｍａｔｉｏｎ、ＤＣＩ））を受信することによって、又はセル識別ＩＤに基づいて、基準信号のリソース構成を取得し、対応するリソース又はサブフレームから基準信号を得てよい。
【０１１５】
基地局によって送信された基準信号は、１つ又は複数のアンテナポートによって同時に送信されてよい。任意に、本明細書のアンテナポートは、ユーザ端末の観点から説明される。基地局側において、各ドライブネットワーク及び対応するアンテナ要素は、共に１つの仮想アンテナポートとみなされてよい。
【０１１６】
段階５２において、ＵＥは、受信された基準信号に従って、基準信号を送信するアンテナポートから、アンテナポートを選択する。
【０１１７】
基準信号を送信する複数のアンテナポートに対応するアンテナ要素位相重み付けベクトルは、異なる。
【０１１８】
アンテナポートは、限定されるものではないが、最大信号対ノイズ比基準、最大信号対干渉プラスノイズ比基準、最大受信信号電力基準、最大チャネル容量基準、又は最大スループット基準を含む予め定められた基準の少なくとも１つに従って、基準信号に基づいて選択されてよい。
【０１１９】
具体的には、ＵＥは、受信された基準信号に従って、信号電力、干渉推定値、チャネル推定値等を取得し、前述の予め定められた基準に従って、対応するアンテナポートを選択してよい。
【０１２０】
例えば、最大チャネル容量基準が例として用いられる。基準信号を受信した後に、ＵＥは、基準信号を送信する各アンテナポートのチャネルを測定し、チャネル容量を計算し、チャネル容量を最大化するアンテナポートを選択する。
【０１２１】
段階５３において、ＵＥは、基地局にＣＳＩをフィードバックする。ここで、ＣＳＩはアンテナポート表示情報を含み、これにより、基地局は、アンテナポート表示情報に従って、データをＵＥに送信するアンテナポートを選択することができる。
【０１２２】
具体的には、ＵＥは、物理アップリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）又は物理アップリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）を用いることによって、ＣＳＩを送信してよい。
【０１２３】
本発明の本実施形態において、基地局は、複数の異なるアンテナポートを用いて、基準信号をユーザ端末に送信する。基準信号を送信する少なくとも２つのアンテナポートに対応するアンテナ要素位相重み付けベクトルは、異なる。従って、ユーザ端末は、受信された基準信号に従って、ユーザ端末にサービスするアンテナポートを別個に選択してよく、選択されたアンテナポートを基地局にフィードバックする。従って、より強い信号カバレッジが実現され、アンテナビームが固定され又は柔軟性に欠けることに起因する鉛直（又は水平）方向における信号カバレッジの欠点という従来技術の問題が回避される。
【０１２４】
本発明の実施形態は、前述のＣＳＩ報告解決手段に対応するアンテナ構造実装解決手段をさらに提供する。
【０１２５】
基地局アンテナは、少なくとも１つのアンテナユニットを含む。図６に示されるように、図６は、本発明の実施形態に係るアンテナユニットの模式構造図である。アンテナユニットは、ドライブネットワーク選択モジュールと、少なくとも２つのドライブネットワークと、少なくとも１つのアンテナ要素グループと、を含み、各アンテナ要素グループは、少なくとも２つのアンテナ要素を含み、ドライブネットワークに対応するアンテナ要素重み付けベクトルは、互いに異なり、
ドライブネットワーク選択モジュールは、各ドライブネットワークに接続され、少なくとも２つのドライブネットワークから１つのドライブネットワークを選択するように構成され、これにより、送信信号が選択されたドライブネットワークに送信され、
ドライブネットワークは、任意のアンテナ要素グループの各アンテナ要素に接続され、送信信号に位相シフトを実行し、位相シフトの後に得られた送信信号をアンテナ要素グループの各接続されたアンテナ要素に送信するように構成され、
アンテナ要素グループは、位相シフトの後に得られた送信信号を送信するように構成される。
【０１２６】
各ドライブネットワークは、任意のアンテナ要素グループの各アンテナ要素に接続され、アンテナ要素グループの全てのアンテナ要素を用いることによって、高利得ビームが形成されてよい。さらに、全てのアンテナ送信電力が利用可能であり、これにより、アンテナ利得を最大化するという効果を実現する。
【０１２７】
任意に、本発明の本実施形態において、各アンテナ要素グループは、少なくとも２つのドライブネットワークに対応してよい。
【０１２８】
任意に、アンテナユニットは、各アンテナ要素グループのアンテナ要素と１対１の対応関係にある複数の信号結合器をさらに含んでよく、
各信号結合器は、各アンテナ要素に対応するドライブネットワークの送信信号出力端に配置されてよく、ドライブネットワークによって実行された位相シフト後に得られた複数の送信信号を組み合わせ、次に、組み合わせられた送信信号を対応するアンテナ要素に送信するように構成される。
【０１２９】
任意に、アンテナユニットは、電力増幅機能を有する電力増幅器（Ｐｏｗｅｒ  Ａｍｐｌｉｆｉｅｒ、ＰＡ）をさらに含んでよい。
【０１３０】
第１のケース
【０１３１】
アンテナユニットは、ドライブネットワークと１対１の対応関係にある複数のＰＡをさらに含み、各ＰＡは、対応するドライブネットワークの前に配置され、受信された送信信号に対して電力増幅を実行し、次に、電力増幅の後に得られた送信信号を対応するドライブネットワークに送信するように構成される。
【０１３２】
第２のケース
【０１３３】
アンテナユニットは、
アンテナ要素グループのアンテナ要素と１対１の対応関係にある複数のＰＡをさらに含み、各ＰＡは、各アンテナ要素とアンテナ要素に対応するドライブネットワークの送信信号出力端との間に配置され、ドライブネットワークによって実行された位相シフトの後に得られた複数の送信信号に対して電力増幅を実行し、次に、電力増幅の後に得られた複数の送信信号を対応するアンテナ要素に送信するように構成される。
【０１３４】
本発明の本実施形態において、ドライブネットワークの必須の機能は、各アンテナ要素に対する信号の位相重み付け値を変化させることであり、ソフトウェア又はハードウェア手段によって実装されてよいことに留意されたい。
【０１３５】
アンテナユニット構造の前述された説明に基づいて、本発明の本実施形態において提供される基地局アンテナのアーキテクチャは、限定されるものではないが、以下のアーキテクチャであってよい。
【０１３６】
以下、信号結合器を含む基地局アンテナを説明することに留意されたい。基地局アンテナが信号結合器を含まない場合、信号結合器の位置は、配線を直接接続にさせるように直接変化させるだけでよい。
【０１３７】
第１のアーキテクチャ
【０１３８】
図７に示されるように、図７は、本発明の実施形態に係る基地局アンテナの模式アーキテクチャ図である。基地局アンテナは、１つのアンテナユニットを含む。全部で、１つのドライブネットワーク選択モジュール、Ｍ個のドライブネットワーク、Ｍ個のＰＡ、１つのアンテナ要素グループ（Ｎ個のアンテナ要素を含む）、及びＮ個の信号結合器が存在する。
【０１３９】
ドライブネットワーク選択モジュールは、Ｍ個のドライブネットワークに接続され、ＰＡは、各ドライブネットワークの前に配置される。
【０１４０】
各ドライブネットワークは、Ｎ個のアンテナ要素に接続される。
【０１４１】
各信号結合器は、各アンテナ要素に対応するドライブネットワークの送信信号出力端に配置される。
【０１４２】
第２のアーキテクチャ
【０１４３】
図８に示されるように、図８は、本発明の実施形態に係る他の基地局アンテナの模式構造図である。基地局アンテナは、少なくとも２つのアンテナユニットを含む。各アンテナユニットは、１つのドライブネットワーク選択モジュール、Ｍ個のドライブネットワーク、Ｍ個のＰＡ、１つのアンテナ要素グループ（複数のアンテナ要素を含む）、及び複数のアンテナ要素と１対１の対応関係にある信号結合器を含む。
【０１４４】
このアーキテクチャでは、各アンテナユニットの構造は、前述された第１のアーキテクチャの基地局アンテナのアンテナユニットのものと同じであり、詳細は本明細書で再度説明されない。
【０１４５】
複数の異なるアンテナユニットのアンテナ要素グループに含まれるアンテナ要素の数は、同じであってよく、又は異なってよいことに留意されたい。例えば、図８を参照すると、アンテナユニット１のアンテナ要素グループは、Ｎ１個のアンテナ要素を含み、アンテナユニットＴのアンテナ要素グループは、ＮＴ個のアンテナ要素を含む。ここで、Ｎ１及びＮＴは、同じであってよく、又は異なってよい。
【０１４６】
第３のアーキテクチャ
【０１４７】
図９に示されるように、図９は、本発明の実施形態に係る他の基地局アンテナの模式構造図である。基地局アンテナは、１つのアンテナユニットを含む。全部で、１つのドライブネットワーク選択モジュール、Ｍ個のドライブネットワーク、１つのアンテナ要素グループ（Ｎ個のアンテナ要素を含む）、Ｎ個のＰＡ、及びＮ個の信号結合器が存在する。
【０１４８】
ドライブネットワーク選択モジュールは、Ｍ個のドライブネットワークに接続される。
【０１４９】
各ドライブネットワークは、Ｎ個のアンテナ要素に接続され、各ＰＡは、各アンテナ要素と、アンテナ要素に対応するドライブネットワークの送信信号出力端との間に配置され、各信号結合器は、各アンテナ要素に対応するドライブネットワークの送信信号出力端に配置される。
【０１５０】
第４のアーキテクチャ
【０１５１】
図１０に示されるように、図１０は、本発明の実施形態に係る他の基地局アンテナの模式構造図である。基地局アンテナは、少なくとも２つのアンテナユニットを含む。各アンテナユニットは、１つのドライブネットワーク選択モジュール、Ｍ個のドライブネットワーク、１つのアンテナ要素グループ（少なくとも２つのアンテナ要素を含む）、ならびに複数のアンテナ要素と１対１の対応関係にあるＰＡ及び信号結合器を含む。
【０１５２】
このアーキテクチャでは、各アンテナユニットの構造は、前述された第３のアーキテクチャの基地局アンテナのアンテナユニットのものと同じであり、詳細は本明細書で再度説明されない。
【０１５３】
第５のアーキテクチャ
【０１５４】
図１１に示されるように、図１１は、本発明の実施形態に係る他の基地局アンテナの模式構造図である。基地局アンテナは、少なくとも１つのアンテナユニット（各アンテナユニットは、同様の構造であり、従って、１つのアンテナユニットのみが図１１に示される）を含み、各アンテナユニットは、１つのドライブネットワーク選択モジュール、複数のドライブネットワーク、Ｔ個のアンテナ要素グループ（アンテナ要素グループ１はＸ個のアンテナ要素を含み、…、アンテナ要素グループＴは、Ｙ個のアンテナ要素を含む）、ならびに全てのアンテナ要素と１対１の対応関係にあるＰＡ及び信号結合器を含む。
【０１５５】
ドライブネットワーク選択モジュールは、各ドライブネットワークに接続される。
【０１５６】
１−１から１−Ｍのドライブネットワークは、アンテナ要素グループ１の各アンテナ要素に接続され、Ｔ−１からＴ−Ｎのドライブネットワークは、アンテナ要素グループＴの各アンテナ要素に接続される（他のドライブネットワークと他のアンテナ要素グループとの間の接続関係は、図１１に示されない）。
【０１５７】
各ＰＡは、各アンテナ要素とアンテナ要素に対応するドライブネットワークの送信信号出力端との間に配置され、各信号結合器は、各アンテナ要素に対応するドライブネットワークの送信信号出力端に配置される。
【０１５８】
第６のアーキテクチャ
【０１５９】
図１２に示されるように、図１２は、本発明の実施形態に係る他の基地局アンテナの模式構造図である。基地局アンテナは、少なくとも１つのアンテナユニット（各アンテナユニットは、同様の構造であり、従って、１つのアンテナユニットのみが図１２に示される）を含み、各アンテナユニットは、１つのドライブネットワーク選択モジュール、複数のドライブネットワーク、Ｔ個のアンテナ要素グループ（アンテナ要素グループ１はＸ個のアンテナ要素を含み、…、アンテナ要素グループＴは、Ｙ個のアンテナ要素を含む）、全てのアンテナ要素と１対１の対応関係にある信号結合器、及びドライブネットワークと１対１の対応関係にあるＰＡを含む。
【０１６０】
ドライブネットワーク選択モジュールは、各ドライブネットワークに接続される。
【０１６１】
１−１から１−Ｍのドライブネットワークは、アンテナ要素グループ１の各アンテナ要素に接続され、Ｔ−１からＴ−Ｎのドライブネットワークは、アンテナ要素グループＴの各アンテナ要素に接続される（他のドライブネットワークと他のアンテナ要素グループとの間の接続関係は、図１２に示されない）。
【０１６２】
各ＰＡは、各ドライブネットワークの前に配置され、各信号結合器は、各アンテナ要素に対応するドライブネットワークの送信信号出力端に配置される。
【０１６３】
当業者であれば、本発明の複数の実施形態が、方法、システム、又はコンピュータプログラム製品として提供され得ることを理解しよう。従って、本発明は、ハードウェアのみの実施形態、ソフトウェアのみの実施形態、又はソフトウェア及びハードウェアを組み合わせた実施形態の形式を用いてよい。さらに、本発明は、コンピュータ利用可能プログラムコードを含む１つ又は複数のコンピュータ利用可能ストレージメディア（限定されるものではないが、ディスクメモリ、ＣＤ−ＲＯＭ、光メモリ等を含む）において実装されるコンピュータプログラム製品の形式を用いてよい。
【０１６４】
本発明は、本発明の複数の実施形態に係る方法、デバイス（システム）、及びコンピュータプログラム製品のフローチャート及び／又はブロック図を参照して説明される。複数のコンピュータプログラム命令は、複数のフローチャート及び／又は複数のブロック図における各処理及び／又は各ブロックと、複数のフローチャート及び／又は複数のブロック図における処理及び／又はブロックの組み合わせを実装するために利用可能であることを理解されたい。これらのコンピュータプログラム命令は、汎用コンピュータ、専用コンピュータ、組み込みプロセッサ、又はマシンを生成する任意の他のプログラム可能なデータ処理デバイスのプロセッサに提供されてよく、これにより、コンピュータ又は任意の他のプログラム可能なデータ処理デバイスのプロセッサによって実行される複数の命令は、複数のフローチャートにおける１つ又は複数の処理の特定の機能及び／又は複数のブロック図における１つ又は複数のブロックを実装する装置を生成する。
【０１６５】
これらのコンピュータプログラム命令は、コンピュータ又は任意の他のプログラム可能なデータ処理デバイスに、特定の態様で動作するように命令可能なコンピュータ可読メモリに格納されてよく、これにより、コンピュータ可読メモリに格納された複数の命令は、命令装置を含む中間物を生成する。命令装置は、複数のフローチャートにおける１つ又は複数の処理及び／又は複数のブロック図における１つ又は複数のブロックの特定の機能を実装する。
【０１６６】
これらのコンピュータプログラム命令は、コンピュータ又は他のプログラム可能データ処理デバイスにロードされてよく、これにより、一連のオペレーション及び段階がコンピュータ又は他のプログラム可能デバイス上で実行され、これにより、コンピュータ実装処理を生成する。従って、コンピュータ又は他のプログラム可能デバイスにおいて実行される複数の命令は、複数のフローチャートにおける１つ又は複数の処理及び／又は複数のブロック図における１つ又は複数のブロックの特定の機能を実装する複数の段階を提供する。
【０１６７】
本発明のいくつかの好ましい実施形態が説明されたが、当業者であれば、基本的な発明の概念を一度認識すれば、これらの実施形態に変更及び変形を加えることが可能である。従って、以下の特許請求の範囲は、複数の好ましい実施形態及び本発明の範囲内に属する全ての変更及び変形を包含するものとして解釈されるべきであることを意図するものである。
【０１６８】
当業者であれば、本発明の複数の実施形態の趣旨及び範囲から逸脱することなく、本発明の複数の実施形態に様々な変形及びバリエーションを加えることが可能なことは明らかである。本発明は、これらの変形及びバリエーションが以下の特許請求の範囲及びこれらの均等技術によって定義される保護範囲に属するとすれば、これらを包含するものとして意図される。
【図１】
2017522772.tif 000375
【図２】
2017522772.tif 000376
【図３】
2017522772.tif 000377
【図４Ａ】
2017522772.tif 000378
【図４Ｂ】
2017522772.tif 000379
【図４Ｃ】
2017522772.tif 000380
【図４Ｄ】
2017522772.tif 000381
【図５】
2017522772.tif 000382
【図６】
2017522772.tif 000383
【図７】
2017522772.tif 000384
【図８】
2017522772.tif 000385
【図９】
2017522772.tif 000386
【図１０】
2017522772.tif 000387
【図１１】
2017522772.tif 000388
【図１２】
2017522772.tif 000389
【手続補正書】
【提出日】平成28年12月28日(2016.12.28)
【手続補正１】
【補正対象書類名】特許請求の範囲
【補正対象項目名】全文
【補正方法】変更
【補正の内容】
【特許請求の範囲】
【請求項１】
チャネル状態情報ＣＳＩ報告装置であって、
基地局によって送信された基準信号を受信する基準信号受信ユニットと、
前記基準信号受信ユニットによって受信された前記基準信号に基づいて、コードブックから少なくとも１つのプリコーディングマトリックスを選択するプリコーディングマトリックス選択ユニットであって、前記コードブックは、プリコーディングマトリックスＷを含み、Ｗは、
【数１】
2017522772.tif 000390
を満たし、
【数２】
2017522772.tif 000391
は、クロネッカー積であり、
【数３】
2017522772.tif 000392
の少なくとも１つは、アンテナ選択マトリックスである、プリコーディングマトリックス選択ユニットと、
ＣＳＩを前記基地局に送信するＣＳＩ送信ユニットであって、前記ＣＳＩは、前記プリコーディングマトリックス選択ユニットによって選択された少なくとも１つのプリコーディングマトリックスインジケータＰＭＩを含み、前記ＰＭＩは、前記選択された少なくとも１つのプリコーディングマトリックスに対応する、ＣＳＩ送信ユニットと、
を備える装置。
【請求項２】
各基準信号は、１つのアンテナポートに対応する、請求項１に記載の装置。
【請求項３】
前記アンテナ選択マトリックスにおいて、各列は、少なくとも１つのゼロ要素を有する、請求項１に記載の装置。
【請求項４】
【数４】
2017522772.tif 000393
は、水平次元マトリックスベクトル及び鉛直次元マトリックスベクトルにそれぞれ対応する、請求項１に記載の装置。
【請求項５】
【数５】
2017522772.tif 000394
の少なくとも１つは、
【数６】
2017522772.tif 000395
のマトリックスの少なくとも１つであり、
【数７】
2017522772.tif 000396
は定数である、又は、
【数８】
2017522772.tif 000397
の少なくとも１つは、
【数９】
2017522772.tif 000398
のマトリックスの少なくとも１つであり、
【数１０】
2017522772.tif 000399
は定数である、又は、
【数１１】
2017522772.tif 000400
の少なくとも１つは、
【数１２】
2017522772.tif 000401
のマトリックスの少なくとも１つであり、
【数１３】
2017522772.tif 000402
は定数であり、
【数１４】
2017522772.tif 000403
である、又は、
【数１５】
2017522772.tif 000404
の少なくとも１つは、
【数１６】
2017522772.tif 000405
のマトリックスの少なくとも１つであり、
【数１７】
2017522772.tif 000406
は定数であり、
【数１８】
2017522772.tif 000407
である、又は、
【数１９】
2017522772.tif 000408
の少なくとも１つは、
【数２０】
2017522772.tif 000409
のマトリックスの少なくとも１つ、又は、前記マトリックスの非ゼロ要素の数が２、３、４、５、６、もしくは７をとり得るマトリックスであり、
【数２１】
2017522772.tif 000410
は定数である、
請求項１から４のいずれか１項に記載の装置。
【請求項６】
【数２２】
2017522772.tif 000411
の少なくとも１つは、
【数２３】
2017522772.tif 000412
のマトリックスの少なくとも１つであり、
【数２４】
2017522772.tif 000413
は定数である、又は、
【数２５】
2017522772.tif 000414
の少なくとも１つは、
【数２６】
2017522772.tif 000415
のマトリックスの少なくとも１つであり、
【数２７】
2017522772.tif 000416
は定数であり、
【数２８】
2017522772.tif 000417
である、又は、
【数２９】
2017522772.tif 000418
の少なくとも１つは、
【数３０】
2017522772.tif 000419
のマトリックスの少なくとも１つであり、
【数３１】
2017522772.tif 000420
は定数である、又は、
【数３２】
2017522772.tif 000421
の少なくとも１つは、
【数３３】
2017522772.tif 000422
のマトリックスの少なくとも１つであり、
【数３４】
2017522772.tif 000423
は定数であり、
【数３５】
2017522772.tif 000424
である、又は、
【数３６】
2017522772.tif 000425
の少なくとも１つは、
【数３７】
2017522772.tif 000426
のマトリックスの少なくとも１つであり、
【数３８】
2017522772.tif 000427
は定数である、
請求項２から５のいずれか１項に記載の装置。
【請求項７】
【数３９】
2017522772.tif 000428
における前記アンテナ選択マトリックスは、信号送信のためのアンテナポートを選択するために用いられる、請求項１から６のいずれか１項に記載の装置。
【請求項８】
前記アンテナポートは、少なくとも２つのアンテナ要素を含み、少なくとも２つのアンテナポートに対応するアンテナ要素重みづけベクトルは、異なる、請求項２から７のいずれか１項に記載の装置。
【請求項９】
少なくとも２つのアンテナポートは、同じグループのアンテナ要素に対応し、前記同じグループのアンテナ要素において対応する重みづけベクトルは、異なる、請求項２から８のいずれか１項に記載の装置。
【請求項１０】
プロセッサと、メモリと、通信バスとを備え、前記プロセッサ及び前記メモリの両方が前記通信バスに接続されるチャネル状態情報ＣＳＩ報告装置であって、
前記メモリは、前記プロセッサに接続され、前記プロセッサによって実行されるプログラムコードを格納し、
前記プロセッサは、前記メモリに接続され、基地局によって送信された基準信号を受信し、前記基準信号に基づいて、コードブックから少なくとも１つのプリコーディングマトリックスを選択し、ＣＳＩを前記基地局に送信し、前記コードブックは、プリコーディングマトリックスＷを含み、Ｗは、
【数４０】
2017522772.tif 000429
を満たし、
【数４１】
2017522772.tif 000430
は、クロネッカー積であり、
【数４２】
2017522772.tif 000431
の少なくとも１つは、アンテナ選択マトリックスであり、前記ＣＳＩは、少なくとも１つの選択されたプリコーディングマトリックスインジケータＰＭＩを含み、前記ＰＭＩは、前記選択された少なくとも１つのプリコーディングマトリックスに対応する、装置。
【請求項１１】
各基準信号は、１つのアンテナポートに対応する、請求項１０に記載の装置。
【請求項１２】
前記アンテナ選択マトリックスにおいて、各列は、少なくとも１つのゼロ要素を有する、請求項１０に記載の装置。
【請求項１３】
【数４３】
2017522772.tif 000432
は、水平次元マトリックスベクトル及び鉛直次元マトリックスベクトルにそれぞれ対応する、請求項１０に記載の装置。
【請求項１４】
【数４４】
2017522772.tif 000433
の少なくとも１つは、
【数４５】
2017522772.tif 000434
のマトリックスの少なくとも１つであり、
【数４６】
2017522772.tif 000435
は定数である、又は、
【数４７】
2017522772.tif 000436
の少なくとも１つは、
【数４８】
2017522772.tif 000437
のマトリックスの少なくとも１つであり、
【数４９】
2017522772.tif 000438
は定数である、又は、
【数５０】
2017522772.tif 000439
の少なくとも１つは、
【数５１】
2017522772.tif 000440
のマトリックスの少なくとも１つであり、
【数５２】
2017522772.tif 000441
は定数であり、
【数５３】
2017522772.tif 000442
である、又は、
【数５４】
2017522772.tif 000443
の少なくとも１つは、
【数５５】
2017522772.tif 000444
のマトリックスの少なくとも１つであり、
【数５６】
2017522772.tif 000445
は定数であり、
【数５７】
2017522772.tif 000446
である、又は、
【数５８】
2017522772.tif 000447
の少なくとも１つは、
【数５９】
2017522772.tif 000448
のマトリックスの少なくとも１つ、又は、前記マトリックスの非ゼロ要素の数が２、３、４、５、６、もしくは７をとり得るマトリックスであり、
【数６０】
2017522772.tif 000449
は定数である、
請求項１０から１３のいずれか１項に記載の装置。
【請求項１５】
【数６１】
2017522772.tif 000450
の少なくとも１つは、
【数６２】
2017522772.tif 000451
のマトリックスの少なくとも１つであり、
【数６３】
2017522772.tif 000452
は定数である、又は、
【数６４】
2017522772.tif 000453
の少なくとも１つは、
【数６５】
2017522772.tif 000454
のマトリックスの少なくとも１つであり、
【数６６】
2017522772.tif 000455
は定数であり、
【数６７】
2017522772.tif 000456
である、又は、
【数６８】
2017522772.tif 000457
の少なくとも１つは、
【数６９】
2017522772.tif 000458
のマトリックスの少なくとも１つであり、
【数７０】
2017522772.tif 000459
は定数である、又は、
【数７１】
2017522772.tif 000460
の少なくとも１つは、
【数７２】
2017522772.tif 000461
のマトリックスの少なくとも１つであり、
【数７３】
2017522772.tif 000462
は定数であり、
【数７４】
2017522772.tif 000463
である、又は、
【数７５】
2017522772.tif 000464
の少なくとも１つは、
【数７６】
2017522772.tif 000465
のマトリックスの少なくとも１つであり、
【数７７】
2017522772.tif 000466
は定数である、
請求項１０から１４のいずれか１項に記載の装置。
【請求項１６】
【数７８】
2017522772.tif 000467
における前記アンテナ選択マトリックスは、信号送信のためのアンテナポートを選択するために用いられる、請求項１０から１５のいずれか１項に記載の装置。
【請求項１７】
前記アンテナポートは、少なくとも２つのアンテナ要素を含み、少なくとも２つのアンテナポートに対応するアンテナ要素重みづけベクトルは、異なる、請求項１１から１６のいずれか１項に記載の装置。
【請求項１８】
少なくとも２つのアンテナポートは、同じグループのアンテナ要素に対応し、前記同じグループのアンテナ要素において対応する重みづけベクトルは、異なる、請求項１１から１７のいずれか１項に記載の装置。
【請求項１９】
チャネル状態情報ＣＳＩ報告方法であって、
基地局によって送信された基準信号を受信する段階と、
前記基準信号に基づいて、コードブックから少なくとも１つのプリコーディングマトリックスを選択する段階であって、前記コードブックは、プリコーディングマトリックスＷを含み、Ｗは、
【数７９】
2017522772.tif 000468
を満たし、
【数８０】
2017522772.tif 000469
は、クロネッカー積であり、
【数８１】
2017522772.tif 000470
の少なくとも１つは、アンテナ選択マトリックスである、段階と、
ＣＳＩを前記基地局に送信する段階であって、前記ＣＳＩは、少なくとも１つの選択されたプリコーディングマトリックスインジケータＰＭＩを含み、前記ＰＭＩは、前記選択された少なくとも１つのプリコーディングマトリックスに対応する、段階と、
を備える方法。
【請求項２０】
各基準信号は、１つのアンテナポートに対応する、請求項１９に記載の方法。
【請求項２１】
前記アンテナ選択マトリックスにおいて、各列は、少なくとも１つのゼロ要素を有する、請求項１９に記載の方法。
【請求項２２】
【数８２】
2017522772.tif 000471
は、水平次元マトリックスベクトル及び鉛直次元マトリックスベクトルにそれぞれ対応する、請求項１９に記載の方法。
【請求項２３】
【数８３】
2017522772.tif 000472
の少なくとも１つは、
【数８４】
2017522772.tif 000473
のマトリックスの少なくとも１つであり、
【数８５】
2017522772.tif 000474
は定数である、又は、
【数８６】
2017522772.tif 000475
の少なくとも１つは、
【数８７】
2017522772.tif 000476
のマトリックスの少なくとも１つであり、
【数８８】
2017522772.tif 000477
は定数である、又は、
【数８９】
2017522772.tif 000478
の少なくとも１つは、
【数９０】
2017522772.tif 000479
のマトリックスの少なくとも１つであり、
【数９１】
2017522772.tif 000480
は定数であり、
【数９２】
2017522772.tif 000481
である、又は、
【数９３】
2017522772.tif 000482
の少なくとも１つは、
【数９４】
2017522772.tif 000483
のマトリックスの少なくとも１つであり、
【数９５】
2017522772.tif 000484
は定数であり、
【数９６】
2017522772.tif 000485
である、又は、
【数９７】
2017522772.tif 000486
の少なくとも１つは、
【数９８】
2017522772.tif 000487
のマトリックスの少なくとも１つ、又は、前記マトリックスの非ゼロ要素の数が２、３、４、５、６、もしくは７をとり得るマトリックスであり、
【数９９】
2017522772.tif 000488
は定数である、
請求項１９から２２のいずれか１項に記載の方法。
【請求項２４】
【数１００】
2017522772.tif 000489
の少なくとも１つは、
【数１０１】
2017522772.tif 000490
のマトリックスの少なくとも１つであり、
【数１０２】
2017522772.tif 000491
は定数である、又は、
【数１０３】
2017522772.tif 000492
の少なくとも１つは、
【数１０４】
2017522772.tif 000493
のマトリックスの少なくとも１つであり、
【数１０５】
2017522772.tif 000494
は定数であり、
【数１０６】
2017522772.tif 000495
である、又は、
【数１０７】
2017522772.tif 000496
の少なくとも１つは、
【数１０８】
2017522772.tif 000497
のマトリックスの少なくとも１つであり、
【数１０９】
2017522772.tif 000498
は定数である、又は、
【数１１０】
2017522772.tif 000499
の少なくとも１つは、
【数１１１】
2017522772.tif 000500
のマトリックスの少なくとも１つであり、
【数１１２】
2017522772.tif 000501
は定数であり、
【数１１３】
2017522772.tif 000502
である、又は、
【数１１４】
2017522772.tif 000503
の少なくとも１つは、
【数１１５】
2017522772.tif 000504
のマトリックスの少なくとも１つであり、
【数１１６】
2017522772.tif 000505
は定数である、
請求項１９から２３のいずれか１項に記載の方法。
【請求項２５】
【数１１７】
2017522772.tif 000506
における前記アンテナ選択マトリックスは、信号送信のためのアンテナポートを選択するために用いられる、請求項１９から２４のいずれか１項に記載の方法。
【請求項２６】
前記アンテナポートは、少なくとも２つのアンテナ要素を含み、少なくとも２つのアンテナポートに対応するアンテナ要素重みづけベクトルは、異なる、請求項２０から２５のいずれか１項に記載の方法。
【請求項２７】
少なくとも２つのアンテナポートは、同じグループのアンテナ要素に対応し、前記同じグループのアンテナ要素において対応する重みづけベクトルは、異なる、請求項２０から２６のいずれか１項に記載の方法。
【請求項２８】
チャネル状態情報ＣＳＩ報告方法であって、
基地局によってＣＳＩを受信する段階を備え、前記ＣＳＩは、少なくとも１つのプリコーディングマトリックスインジケータＰＭＩを含み、前記ＰＭＩは、コードブックからの少なくとも１つのプリコーディングマトリックスＷに対応し、
Ｗは、
【数１１８】
2017522772.tif 000507
を満たし、
【数１１９】
2017522772.tif 000508
は、クロネッカー積であり、
【数１２０】
2017522772.tif 000509
の少なくとも１つは、アンテナ選択マトリックスである、方法。
【請求項２９】
前記アンテナ選択マトリックスにおいて、各列は、少なくとも１つのゼロ要素を有する、請求項２８に記載の方法。
【請求項３０】
【数１２１】
2017522772.tif 000510
は、水平次元マトリックスベクトル及び鉛直次元マトリックスベクトルにそれぞれ対応する、請求項２８に記載の方法。
【請求項３１】
【数１２２】
2017522772.tif 000511
の少なくとも１つは、
【数１２３】
2017522772.tif 000512
のマトリックスの少なくとも１つであり、
【数１２４】
2017522772.tif 000513
は定数である、又は、
【数１２５】
2017522772.tif 000514
の少なくとも１つは、
【数１２６】
2017522772.tif 000515
のマトリックスの少なくとも１つであり、
【数１２７】
2017522772.tif 000516
は定数である、又は、
【数１２８】
2017522772.tif 000517
の少なくとも１つは、
【数１２９】
2017522772.tif 000518
のマトリックスの少なくとも１つであり、
【数１３０】
2017522772.tif 000519
は定数であり、
【数１３１】
2017522772.tif 000520
である、又は、
【数１３２】
2017522772.tif 000521
の少なくとも１つは、
【数１３３】
2017522772.tif 000522
のマトリックスの少なくとも１つであり、
【数１３４】
2017522772.tif 000523
は定数であり、
【数１３５】
2017522772.tif 000524
である、又は、
【数１３６】
2017522772.tif 000525
の少なくとも１つは、
【数１３７】
2017522772.tif 000526
のマトリックスの少なくとも１つ、又は、前記マトリックスの非ゼロ要素の数が２、３、４、５、６、もしくは７をとり得るマトリックスであり、
【数１３８】
2017522772.tif 000527
は定数である、
請求項２８から３０のいずれか１項に記載の方法。
【請求項３２】
【数１３９】
2017522772.tif 000528
の少なくとも１つは、
【数１４０】
2017522772.tif 000529
のマトリックスの少なくとも１つであり、
【数１４１】
2017522772.tif 000530
は定数である、又は、
【数１４２】
2017522772.tif 000531
の少なくとも１つは、
【数１４３】
2017522772.tif 000532
のマトリックスの少なくとも１つであり、
【数１４４】
2017522772.tif 000533
は定数であり、
【数１４５】
2017522772.tif 000534
である、又は、
【数１４６】
2017522772.tif 000535
の少なくとも１つは、
【数１４７】
2017522772.tif 000536
のマトリックスの少なくとも１つであり、
【数１４８】
2017522772.tif 000537
は定数である、又は、
【数１４９】
2017522772.tif 000538
の少なくとも１つは、
【数１５０】
2017522772.tif 000539
のマトリックスの少なくとも１つであり、
【数１５１】
2017522772.tif 000540
は定数であり、
【数１５２】
2017522772.tif 000541
である、又は、
【数１５３】
2017522772.tif 000542
の少なくとも１つは、
【数１５４】
2017522772.tif 000543
のマトリックスの少なくとも１つであり、
【数１５５】
2017522772.tif 000544
は定数である、
請求項２８から３１のいずれか１項に記載の方法。
【請求項３３】
請求項１９から２７のいずれか１項に記載の方法をコンピュータに実行させるプログラム。
【請求項３４】
請求項２８から３２のいずれか１項に記載の方法をコンピュータに実行させるプログラム。
【国際調査報告】
2017522772.tif 000545
2017522772.tif 000546
2017522772.tif 000547
2017522772.tif 000548